(57)【要約】【課題】ＰＯＳレジスタ等の現金取扱い装置に現金の装填を行う際、前の現金取扱い装置から取り外したリジェクト庫を間違えて次の現金取扱い装置に使用することをなくす。【解決手段】ＰＯＳレジスタ２等に紙幣を装填するために紙幣を紙幣装填回収庫１２に収納して移送するとき、台車１６に装着された紙幣装填回収庫１２とリジェクト庫１４に対して、紙幣装填回収庫１２には、現金処理装置３０で紙幣保管庫１１から必要な現金を収納し、リジェクト庫１４はそれまで移動手段に装着されたリジェクト庫を交換部１４により別のリジェクト庫１４に交換して、ＰＯＳレジスタ２等に現金を装填するときは、常に空のリジェクト庫１４をＰＯＳレジスタ２等に供給するようにした。【選択図】        図１
2008108284.tif 000002
【特許請求の範囲】
【請求項１】
現金の入出金を行う現金取扱い装置と、
前記現金取扱い装置に対して現金の装填、回収を行う現金処理装置と、
この現金処理装置に組み込まれ、装填する現金と回収した現金を金種別に収納する収納庫と、
現金を収納し、前記現金取扱い装置と前記現金処理装置との間を移送する少なくとも１個の現金装填回収庫と、
装置でリジェクトと判定された現金を収納し、前記現金取扱い装置と前記現金処理装置との間を移送する複数のリジェクト庫と、
前記現金装填回収庫とリジェクト庫を装着して現金取扱い装置まで移動する移動手段と、
前記現金処理装置に組み込まれ、前記移動手段に対してリジェクト庫を自動的に交換する交換手段と、
を具備し、
前記現金取扱い装置に現金を装填するために現金を現金装填回収庫に収納して移送するとき、移動手段に装着された前記現金装填回収庫とリジェクト庫に対して、前記現金装填回収庫には、前記現金処理装置で収納庫から必要な現金を現金装填回収庫に収納し、
前記リジェクト庫はそれまで移動手段に装着されたリジェクト庫を前記交換手段により別のリジェクト庫に交換して、前記現金取扱い装置に現金を装填するときは、常に空のリジェクト庫を前記現金取扱い装置に供給するようにしたことを特徴とする現金装填回収システム。
【請求項２】
請求項１記載の現金装填回収システムにおいて、
リジェクト庫に設けられ、現金取扱い装置や現金処理装置により読み出し書き換えが可能で、当該リジェクト庫を識別する情報と、当該リジェクト庫どの現金取扱い装置に装着されるかを識別する情報が書き込まれる現金情報記憶部を具備したことを特徴とする現金装填回収システム。
【請求項３】
請求項１記載の現金装填回収システムにおいて、
現金装填回収庫に設けられ、現金取扱い装置や現金処理装置により読み出し書き換えが可能で、当該現金装填回収庫を識別する情報と、当該現金装填回収庫に収納される現金に関する情報が書き込まれる現金情報記憶部を具備し、
移動手段に装着されたリジェクト庫を交換手段により別のリジェクト庫に交換したとき、その交換したリジェクト庫に対応する現金装填回収庫の現金情報記憶部に交換したリジェクト庫を識別する情報を書き込むことを特徴とする現金装填回収システム。
【請求項４】
現金の入出金を行う現金取扱い装置と、
前記現金取扱い装置に対して現金の装填、回収を行う現金処理装置と、
この現金処理装置に組み込まれ、装填する現金と回収した現金を金種別に収納する収納庫と、
現金を収納し、前記現金取扱い装置と前記現金処理装置との間を移送する少なくとも１個の現金装填回収庫と、装置でリジェクトと判定された現金を収納し、前記現金取扱い装置と前記現金処理装置との間を移送する複数のリジェクト庫と、
前記現金装填回収庫とリジェクト庫を装着して前記配送車から現金取扱い装置まで移動する移動手段と、
前記現金処理装置に組み込まれ、前記移動手段に対してリジェクト庫を自動的に交換する交換手段と、
この交換手段に設けられ、交換するリジェクト庫を収納する収納台部と、
を具備し、
前記現金取扱い装置に現金を装填するために現金を現金装填回収庫に収納して移送するとき、移動手段に装着された前記現金装填回収庫とリジェクト庫に対して、前記現金装填回収庫には、前記現金処理装置で収納庫から必要な現金を現金装填回収庫に収納し、
前記リジェクト庫はそれまで移動手段に装着されたリジェクト庫を前記交換手段により別のリジェクト庫に交換し、この交換により移動手段から引き取ったリジェクト庫を前記収納台部に収納すると共に、収納台部をリジェクト庫を収納したまま前記交換手段から切り離して移動できるようにしたことを特徴とする現金装填回収システム。
【発明の詳細な説明】
【技術分野】
【０００１】
本発明は、ＡＴＭ（自動取引装置）やＰＯＳ（point of sales）レジスタ等の現金取り扱い装置に対して、現金装填回収庫等を用いて現金処理装置により現金の装填と回収を行うシステムに関するものである。
【背景技術】
【０００２】
ＡＴＭやＰＯＳレジスタ等の現金取り扱い装置に対して、装置の運用に必要な現金を装填したり、精算等のために現金を回収する作業は、それらの装置が設置されている場所の係員等が実施していたが、近年コンビニエンスストア等の店舗にＡＴＭやＰＯＳレジスタ等が設置されるようになり、これらのＡＴＭやＰＯＳレジスタ等の現金取り扱い装置に対する現金を装填や回収を行う場合、それを専門に扱う管理会社が出現している。
【０００３】
この管理会社はＡＴＭやＰＯＳレジスタ等の現金取り扱い装置を運用している会社から委託を受け、コンビニエンスストア等の装置の設置場所を巡回して現金の装填、回収を実施する。
実施に当たっては、ＡＴＭやＰＯＳレジスタ等の現金取り扱い装置に対して個々に専用の金庫を準備し、これらの専用の金庫に管理会社等の施設で事前に必要な現金を詰め、係員が配送車で各装置の設置場所を巡回し、設置場所で台車等に積み替えて現金取り扱い装置に運び、金庫を交換して、その交換した金庫を配送車で持ち帰って金庫毎に精算を行っていた。
【発明の開示】
【発明が解決しようとする課題】
【０００４】
しかしながら上述した従来の技術では、係員が金庫を手作業で配送車と台車の間の金庫の積み降しをするため、作業に手間や時間がかかり、積み降しを行っている金庫の以外の金庫に注意が行き届かない等、防犯面での不備が多いという問題がある。
また、現金取り扱い装置に対して金庫を交換する場合、装填する金庫内の現金の内訳を入力しなければならない等、面倒な操作も必要であり、金庫の積み降しと併せて係員の負担が大きいという問題もある。
【０００５】
本発明はこのような問題を解決することを課題とするものである。
【課題を解決するための手段】
【０００６】
そのため、本発明の現金装填回収システムは、現金の入出金を行う現金取扱い装置と、前記現金取扱い装置に対して現金の装填、回収を行う現金処理装置と、この現金処理装置に組み込まれ、装填する現金と回収した現金を金種別に収納する収納庫と、現金を収納し、前記現金取扱い装置と前記現金処理装置との間を移送する少なくとも１個の現金装填回収庫と、装置でリジェクトと判定された現金を収納し、前記現金取扱い装置と前記現金処理装置との間を移送する複数のリジェクト庫と、前記現金装填回収庫とリジェクト庫を装着して現金取扱い装置まで移動する移動手段と、前記現金処理装置に組み込まれ、前記移動手段に対してリジェクト庫を自動的に交換する交換手段とを具備し、前記現金取扱い装置に現金を装填するために現金を現金装填回収庫に収納して移送するとき、移動手段に装着された前記現金装填回収庫とリジェクト庫に対して、前記現金装填回収庫には、前記現金処理装置で収納庫から必要な現金を現金装填回収庫に収納し、前記リジェクト庫はそれまで移動手段に装着されたリジェクト庫を前記交換手段により別のリジェクト庫に交換して、前記現金取扱い装置に現金を装填するときは、常に空のリジェクト庫を前記現金取扱い装置に供給するようにしたことを特徴とする。
【発明の効果】
【０００７】
上述した構成を有する本発明によれば、現金装填回収庫には、前記現金処理装置で収納庫から必要な現金を現金装填回収庫に収納し、前記リジェクト庫はそれまで移動手段に装着されたリジェクト庫を前記交換手段により別のリジェクト庫に自動的に交換して、前記現金取扱い装置に現金を装填するときは、常に空のリジェクト庫を前記現金取扱い装置に供給するようにしているため、現金取扱い装置に現金の装填を行う際、前の現金取扱い装置から取り外したリジェクト庫を間違えて次の現金取扱い装置に使用するようなことがなくなり、確実にリジェクト庫の使い分けができるという効果が得られる。
【発明を実施するための最良の形態】
【０００８】
以下、図面を参照して本発明の実施例について説明する。
【実施例】
【０００９】
図１は本発明の実施例のシステム構成を示す概略図である。
コンビニエンスストア１には、商品販売データを入力するためのＰＯＳレジスタ（現金取扱い装置）２と、入金や支払い等の金融取引を実行するＡＴＭ（現金取扱い装置）３が設置されている。
ＰＯＳレジスタ２は、そのコンビニエンスストア１の売上管理を行うためのＣＶＳセンタに設けられたコンピュータ等によるＣＶＳセンタ装置４に電話回線等の通信回線を介して接続されていて、これによりＰＯＳレジスタ２の売上データは必要に応じてＣＶＳセンタ装置４に通信回線を経由して報告されるものとなっている。
【００１０】
ＣＶＳセンタ装置４ではＰＯＳレジスタ２から報告される売上データをコンビニエンスストア１毎に記憶手段に記憶させて蓄積し、集計処理を行うと共に、売上データの内訳から在庫予測、販売予測を行って必要な場所に商品の配送等を指令する。
また、ＣＶＳセンタ装置４はＰＯＳレジスタ２に内蔵された現金の在高を記憶手段に記憶させ、その売上データや釣り銭払出しの状況から、売上金の回収や販売に必要な釣り銭準備金の予測を行い、後述する運用管理センタに現金の装填、回収を指令するものとなっている。
【００１１】
ＡＴＭ３は、ここではコンビニエンスストア１に設置した例を示しているが、一般にＡＴＭ３を保有、運用しているのはＰＯＳレジスタ２を保有、運用しているコンビニエンスストア１とは別の会社である銀行等の金融機関であり、従ってＡＴＭ３は、金融機関のセンタに設けられたコンピュータ等による金融センタ装置５に電話回線等の通信回線を介して接続されている。
【００１２】
金融センタ装置５の記憶手段には各顧客の口座番号や取引内容及び残高等が口座データとして記憶されており、顧客がＡＴＭ３を操作して取引を行う毎に、取引内容の追加及び残高の更新等が行われる。
また、金融センタ装置５の記憶手段にはＡＴＭ３に装填されている現金の現在の在高も在高データとして記憶されており、金融センタ装置５はこの取引による現金の預け入れ、払出し状況により取引に必要な資金の在高予測を行い、ＡＴＭ３に残っている現金の在高に応じて現金の装填、回収を後述する運用管理会社の装置に指示するものとなっている。
【００１３】
運用管理会社のセンタに設けられているコンピュータ等による運用管理センタ装置６はコンビニエンスストア１や金融機関から委託されてＰＯＳレジスタ２やＡＴＭ３の稼働状況を監視し、障害等が発生した場合には、復旧のために保守員を派遣したり、ＰＯＳレジスタ２やＡＴＭ３の現金の回収や装填が必要なときにはコンビニエンスストア１を訪問して現金の回収や装填を行う配送車７に対して無線で指示を出すものとなっている。
【００１４】
この運用管理センタ装置６の記憶手段にはＰＯＳレジスタ２やＡＴＭ３の在高データと資金の運用データが記憶されている。また、運用管理センタ装置６によるデータ収集や指示送出のためにＰＯＳレジスタ２、ＡＴＭ３、及び配送車７には無線通信手段（例えば、ＰＨＳ）が組み込まれており、運用管理センタ装置６は通信回線で接続された通信センタ２８０を経由してＰＯＳレジスタ２、ＡＴＭ３、及び配送車７と直接交信できるようになっている。
【００１５】
配送車７には、ＰＯＳレジスタ２やＡＴＭ３に現金を装填したり回収したりするための現金装填回収庫である紙幣装填回収庫や硬貨装填回収庫に現金を計数して装填したり、これら紙幣装填回収庫や硬貨装填回収庫から現金を計数して回収するための現金処理装置が搭載されている。
尚、ＣＶＳセンタ装置４と金融センタ装置５と運用管理センタ装置６はインターネット９により接続される。
【００１６】
上述したシステムにおけるＰＯＳレジスタ２に対して釣り銭装填や売上金の回収行う場合の判定について説明する。
ＣＶＳセンタ装置４はコンビニエンスストア１に設置されているＰＯＳレジスタ２に内蔵された現金ユニットに収納されている現金の在高を監視している。すなわち、前回にＰＯＳレジスタ２の現金ユニットに装着された釣り銭の内訳から、それまでの売上に従った売上金と、釣り銭の内訳と、今後の売上予測から釣り銭準備金の装填や、売上金の回収の有無を判定する。
【００１７】
以下にその方法について述べる。
（１） まず、前回の釣り銭準備金装填時の釣り銭準備在高の内訳Ａ１と、前回の装填時から現在までの売上金の内訳Ａ２と、前回の装填時から現在までに支払われた釣り銭Ａ３をもとに、現在の釣り銭準備金在高の内訳Ａを算出する。
Ａ＝Ａ１＋Ａ２−Ａ３
（２） 次に、現在の釣り銭準備金在高の内訳Ａと、現在から次回釣り銭準備金の装填を行う予定時刻までの間の売上の予測値Ｂ１と、現在から次回釣り銭準備金の装填を行う予定時刻までの間に支払う釣り銭の予測値Ｂ２をもとに、次回釣り銭準備金の装填を行う予定の時刻における釣り銭準備金在高の予測値Ｂを算出する。
【００１８】
Ｂ＝Ａ＋Ｂ１−Ｂ２
この、釣り銭準備金在高の予測値Ｂの算出においては、在高や装填の内訳の算出のために、現在から次回装填を行うまでの予測値を加味したことにより判定の精度を高めることができる。
（３） 次に、次回装填してから更にその次（次次回）に装填を行う予定の時刻までの売上金の予測値Ｃ１と釣り銭の予測値Ｃ２から、次回装填する釣り銭準備金の内訳Ｃを算出する。ただし、このとき、予測値に対して誤差が発生することがあるため、予測値に対して釣り銭の予備値Ｃ３を加算する。
【００１９】
Ｃ＝Ｃ１−Ｃ２＋Ｃ３
（４） これらの算出結果をもとに、釣り銭準備金装填の必要性の有無を判定する。
ａ．次回釣り銭準備金の装填を行う予定時刻における釣り銭準備金在高の予測値Ｂが次回装填する釣り銭準備金の内訳Ｃより少ない（Ｂ＜Ｃ）場合は、次次回の装填までに釣り銭が不足すると判断し、次回釣り銭の装填が必要と判定する。
ｂ．次回釣り銭準備金の装填を行う予定時刻における釣り銭準備金在高の予測値Ｂが次回装填する釣り銭準備金の内訳Ｃより多く、しかも、所定の在高（例えば、次回装填する釣り銭準備金の内訳Ｃの２倍の値）以下（Ｃ＜Ｂ≦Ｃ×２）の場合は、釣り銭は充分あると判断して次回釣り銭の装填は不要と判定する。
ｃ．次回釣り銭準備金の装填を行う予定時刻における釣り銭準備金在高の予測値Ｂが所定の在高（例えば、次回装填する釣り銭準備金の内訳Ｃの２倍の値）以上（Ｃ×２≦Ｂ）の場合は、釣り銭が過剰であると判断して、次回は釣り銭の回収が必要と判定する。
【００２０】
釣り銭準備金の装填、回収の判定基準として、次回装填してから次次回装填を行う予定の時刻までの売上金予測値Ｃ１と釣り銭の予測値Ｃ２を使うため、時間帯や曜日等により売上高が変動しても、過不足のない常に最適な釣り銭を供給することが可能になる。以上のようにして釣り銭準備金の装填または回収を判断する。
もちろん、装填する場合には、「次回釣り銭準備金の装填内訳」に従って金種別枚数が指示される。
【００２１】
更に、ＣＶＳセンタ装置４は、ＰＯＳレジスタ２の売上金の総額を監視し、その回収の必要性の有無を判定する。
（５） すなわち、前回の売上金の回収から現在までの売上金Ｄ１と、現在から次回の回収予定時刻までの売上金の予測値Ｄ２を加算して、次回の回収までの売上総額金Ｄを算出する。
【００２２】
Ｄ＝Ｄ１＋Ｄ２
（６） この算出結果をもとに売上金の回収の判定を行う。これは、売上総額金Ｄが予め定めた回収基準額（例えば、１００万円）Ｅ以上のとき（Ｅ≦Ｄ）、売上金の回収が必要と判定する。図２はＣＶＳセンタ装置４で監視するＰＯＳレジスタ２の在高データの例を示す図である。
【００２３】
この図に示したように前回の装填額、現在までの入金、現在までの釣り銭、及び現在の在高は、紙幣と硬貨の金種別枚数の内訳で管理されている。
現在から次回までの現金の装填、次次回の装填までの売上金の予測、及び釣り銭の予測は、前日の同一時間帯や、前週の同一曜日、同一時間帯等の実績値をもとに算出する。
また、釣り銭準備金の予備は、一時的な釣り銭の増加にも対応できるように充分に確保する。
【００２４】
以上にようにして、ＣＶＳセンタ装置４は釣り銭準備金の装填、回収、売上金の回収の判定を行い、その結果ＰＯＳレジスタ２に対して釣り銭準備金の装填、回収、売上金の回収が必要と判定した場合、インターネット９を介して運用管理センタ装置６に釣り銭準備金の装填、回収、売上金の回収を要請する。
但し、その結果、釣り銭の準備金の金種別の内訳、または売上金のいずれか１項目の装填、回収が必要なときは、他の項目についても装填、回収処理を同時に行うようにする。例えば、釣り銭準備金の装填または回収が必要なときは、売上金が所定額に満たなくとも、回収してしまうものとする。
【００２５】
逆に、売上金の回収が必要なときは、釣り銭が充分な在高であっても、次回の釣り銭準備金内訳に従って装填を行うようにする。
これにより、売上金の早期回収と釣り銭準備金の最適化を図ることができ、余分な現金がＰＯＳレジスタ２に死蔵されるのを防止できると共に、現金の処理頻度を少なくすることが可能になる。
【００２６】
一方、金融センタ装置５でもコンビニエンスストア１に設置されているＡＴＭ３の稼働状況を監視すると共に、ＡＴＭ３内蔵された現金ユニットに収納されている現金の在高を監視し、必要に応じて現金の装填や回収の有無を判定する。以下にそれについて説明する。
（１） まず、前回の現金装填の内訳Ｆ１と、前回の装填時から現在までの入金取引の内訳Ｆ２、及び前回の装填時から現在までの支払い取引の内訳Ｆ３をもとに、現在の現金在高の内訳Ｆを算出する。
【００２７】
Ｆ＝Ｆ１＋Ｆ２−Ｆ３
尚、入金取引の内訳Ｆ２と支払い取引の内訳Ｆ３は、ＡＴＭ３から取引処理が行われる毎に逐次電話回線を介して金融センタ装置５に報告されている。
（２） 次に、現在の現金在高の内訳Ｆと、現在から次回装填を行う予定の時刻までの入金取引の内訳の予測値Ｇ１と、現在から次回装填を行う予定の時刻までの支払い取引の内訳の予測値Ｇ２をもとに、次回装填を行う予定の時刻における現金在高の内訳の予測値Ｇを算出する。
【００２８】
Ｇ＝Ｆ＋Ｇ１−Ｇ２
（３） 次に、次回装填してから更にその次（次次回）に装填を行う予定の時刻までの支払い取引の内訳の予測値Ｈ１と、次回装填してから次次回装填を行う予定の時刻までの入金取引の内訳の予測値Ｈ２から、次回装填する現金の内訳Ｈを算出する。
ただし、このとき、予測値に対して誤差が発生することがあるため、予測値に対して支払い取引の予備Ｈ３を加算する。
【００２９】
Ｈ＝Ｈ１−Ｈ２＋Ｈ３
（４） これらの算出結果をもとに、ＡＴＭ３に対する現金の装填、回収の必要性の有無を判定する。
ａ．次回装填を行う予定の時刻における現金在高の内訳の予測値Ｇが次回装填する現金の内訳Ｈより少ない（Ｇ＜Ｈ）場合は、このまま次回現金を装填しないと次次回の装填までに現金が不足すると判断し、次回現金の装填が必要と判定する。
ｂ．次回装填を行う予定の時刻における現金在高の内訳の予測値Ｇが次回装填する現金の内訳Ｈより多く、しかも所定の在高（例えば、次回装填する現金の内訳Ｈのうち紙幣は１．５倍）以下（Ｈ＜Ｇ≦Ｈ×１．５）の場合は、現金は充分あると判断して次回の現金の装填は不要と判定する。
ｃ．次回装填を行う予定の時刻における現金在高の内訳の予測値Ｇが前記所定の在高（例えば、次回装填する現金の内訳Ｈのうち紙幣は１．５倍、硬貨は３倍の値）以上（Ｈ×１．５（または３）≦Ｇ）の場合は、現金が過剰であると判断して、次回は現金の回収が必要と判定する。
【００３０】
以上のようにして現金の装填または回収を判定する。
尚、金融センタ装置５ではＡＴＭ３の現金の在高を金種別に監視しており、現金の過不足の判定は、各金種（万、五千、二千、千、五百、百、五十、十、五、一円）毎に行われる。
図３は金融センタ装置５により監視するＡＴＭ３の在高データの例を示す図である。
【００３１】
この図に示したように前回の装填額、現在までの入金、現在までの支払い、及び現在の在高は、紙幣と硬貨の金種別枚数の内訳で管理されている。
これらの金種別の在高データをもとに、例えば前記（４）のａのように現金の不足を判断する場合は、次回装填を行う予定の時刻における現金在高の内訳の予測値と次回装填する現金の内訳を比較し、いずれか１金種でも少ないときは、現金が不足すると判断し、次回現金の装填が必要と判定する。
【００３２】
一方、前記（４）のｃのように現金の過剰を判断する場合も、ａの不足を判断する場合と同様に各金種別に比較するが、紙幣については、次回装填する現金の内訳の１．５倍を基準として過剰を判定し、硬貨ついては、次回装填する現金の内訳の３倍を基準として過剰を判定する。
その結果、いずれか１金種でも過剰と判断したときは、次回現金の回収が必要と判定する。
【００３３】
ここで、紙幣と硬貨の判定の基準を変えたことにより、紙幣は高額であるために早めの回収を指示し、資金がＡＴＭ３の中に放置される時間を短くして資金の運用効率を改善することができるものとなる。
また、硬貨は紙幣に比べて低額であって、大量に溜まっても資金運用の阻害になる度合いが低いので、なるべく回収処理の頻度を少なくし、これにより回収作業の効率を改善できるようにしている。
【００３４】
以上、ＡＴＭ３において各金種の現金の過不足について説明したが、いずれか１金種でも不足または過剰と判断した場合、金融センタ装置５は装填または回収が必要と判定し、ＡＴＭ３の在高が次回装填する現金の内訳となるように全金種に対して装填または回収を行うよう金融センタ装置５からインターネット９を介して運用管理センタ装置６に要請する。
【００３５】
従って、一度装填または回収が行われると、ＡＴＭ３の在高は全金種について最適値とすることができ、不足や過剰の金種だけの装填、回収を行う場合に比べてその処理の頻度を大幅に少なくすることができる。
また、現在から次回装填までの取引の予測や、次回の装填から次次回の装填までの取引の予測は、前日の同一時間帯や、前週の同一曜日、同一時間帯等の実績値をもとに行うため、時間帯や曜日等により取引高が変動しても、過不足のない常に最適な現金を装填することが可能になる。
【００３６】
以上、予定された時刻にＰＯＳレジスタ２やＡＴＭ３に対して現金の装填，回収を行う場合について説明したが、突発的に予想以上の客が来店した場合等、ＰＯＳレジスタ２で釣り銭が予想以上に支払われたり、ＡＴＭ３で予想以上に高額の支払いが行われると、次回の装填までにＰＯＳレジスタ２の釣り銭やＡＴＭ３の現金に不足が生じることが予想される。
【００３７】
このような場合には、緊急に装填指示が出されることは当然である。
例えば、ＰＯＳレジスタ２を監視しているＣＶＳセンタ装置４で、単位時間当たりの払い出された釣り銭が、所定以上になった場合、釣り銭不足が生じる恐れありと判断して緊急の装填をインターネット９を介して運用管理センタ装置６に指示する。
また、ＡＴＭ３を監視している金融センタ装置５でも、所定額以上の高額支払いが連続して行われたことを検出した場合等、支払い現金が不足する恐れありと判断して緊急の装填をインターネット９を介して運用管理センタ装置６に指示する。
【００３８】
運用管理センタ装置６は、ＣＶＳセンタ装置４や金融センタ装置５から各コンビニエンスストア１のＰＯＳレジスタ２やＡＴＭ３に対する現金の装填や回収処理の指示を受けると、その指示の通知に付加されている金種内訳を集計し、そして無線により通信センタ２８０を介して配送車７にコンビニエンスストア１への訪問と、ＰＯＳレジスタ２やＡＴＭ３に対する現金の装填や回収処理を行うよう指示すると共に、前記金種内訳の集計結果に基づく現金量データを配送車７に送信する。
【００３９】
配送車７は現金処理装置を搭載して複数のコンビニエンスストア１を定期的に巡回しており、運用管理センタ装置６から各コンビニエンスストア１のＰＯＳレジスタ２及びＡＴＭ３に対するそれぞれの現金の装填や回収の指示と、現金の内訳データを受けると、運用管理センタで現金処理装置に現金を積み込んだ後、各コンビニエンスストア１を訪問して、その訪問毎にＰＯＳレジスタ２やＡＴＭ３に対して、それぞれ指定された現金の装填や回収処理を現金処理装置によって行う。
【００４０】
このとき、紙幣については、ＰＯＳレジスタ２とＡＴＭ３の装填、回収額を合算した現金を配送車７の現金処理装置に積み込むために合算した現金は、個別に積み込む場合に比べて少なくて済む。
すなわち、一般的には、ＰＯＳレジスタ２は売上金が入金されるので、現金の回収指示が出されること多く、これに対してＡＴＭ３では預金の支払い取引頻度が入金取引頻度より高いので、現金の装填指示が出されることが多い。
【００４１】
従って、配送車７は巡回の途中でＰＯＳレジスタ２から現金を回収し、その回収した現金をＡＴＭ３に装填する現金に廻すことができる。
そのため、配送車７の現金処理装置に予め積み込む現金の量を削減することができ、それにより多量の現金を輸送することの危険を回避できると共に、少量の現金でＰＯＳレジスタ２及びＡＴＭ３の運用が可能になるので、現金の運用効率の向上を図ることができる。
【００４２】
但し、このように複数のコンビニエンスストア１のＰＯＳレジスタ２やＡＴＭ３に必要な現金を合算した上で積み込み指示を出すのは紙幣のみであり、硬貨は各ＰＯＳレジスタ２やＡＴＭ３毎に専用の硬貨装填回収庫を用意し、それぞれに必要な硬貨の量を準備する。
その理由は、
（１） 一般的にＰＯＳレジスタ２でも、またＡＴＭ３でも、硬貨は釣り銭として支払いに用いることが多く、互いに融通し合うことができない場合が多い。
（２） ＡＴＭ３においては、たまに大量に硬貨が入金されることもあるが、これは突発的に生じるものであって、このような突発的な大量の硬貨の入金をあてにして現金の準備を行うことができない。
（３） 硬貨は紙幣に比べて小さく、重いため、移動中の配送車７の中で融通し合うための処理を行うには、確実に硬貨を取り出して計数等を行う必要があり、そのために複雑な機構部が必要となる。
（４） 硬貨は小額であるので、取扱い量を減らしても、資金効率の改善効果が小さい。等によるものである。
【００４３】
ここで配送車７の構造及び機能について説明する。図４は配送車７の概略斜視図で、この配送車７の荷台には現金処理装置３０が搭載されている。
この現金処理装置３０は、紙幣及び硬貨の装填や回収及びそれに伴う計数処理や保管等を行う現金処理部１０と、この現金処理部１０に対して紙幣の装填や回収処理を指示したり外部との通信、現金に関する安全確認を行う制御部２０を備えている。
【００４４】
また、配送車７の荷台の屋根の上には、外部と無線電話でデータの通信を行うための通信部２１及び配送車７の現在位置を検出するためのＧＰＳ（Global Positioning System）による位置検出部２２が搭載されている。
配送車７の運転席には操作表示部２７が搭載されており、運転席にいる係員に対して、現金の装填、回収の指示や現金処理部１０の状況等の表示が行われるようになっている。
【００４５】
現金処理部１０は荷台の後部側に配置されており、荷台の扉８を開くことにより現金処理部１０の操作が可能になる。荷台の扉８の外面には個人認識部２３が取り付けられており、この個人認識部２３に予め登録された係員であると判定された場合のみ扉８の施錠する施錠手段が開錠され、扉８を開くことができるようになっている。
この個人認識部２３の認識手段としては例えば虹彩（アイリス）が用いられ、そのため、係員が扉８を開くとき、個人認識部２３に内蔵されたカメラで係員を撮影して虹彩情報（画像）を取得し、取得した虹彩情報（画像）から作成される虹彩データと事前に登録されている虹彩データとの一致をとることで、扉８を開くことが許可された係員であるか否かを判定する。
【００４６】
このようにすることにより、不審人物等が扉８を開けて現金処理部１０を不正に操作するのを防止することができる。
尚、ここでは、個人認識部２３の認識手段として虹彩を用いる場合について説明したが、個人の指紋，掌紋，顔貌等の生体情報を認識手段として用いても同様の効果が得られる。
【００４７】
しかし、現金を取り扱うために金庫を搭載した後述する台車を押していたり、コンビニエンスストア１で販売する商品を同時に配送するような場合には、係員が手袋をしていることが多く、そのようなとき台車から手を離したり、手袋をはずす手間がかかるだけでなく、現金操作の前に時間がかかるので防犯上好ましくない。
また、この他の手段としては、音声による個人認識があるが、配送車７が停車する街頭では騒音が大きいので、適当ではない。
【００４８】
従って虹彩による個人認識が、最も信頼正が高く、最適である。
図５は現金処理装置３０の構成を示すブロック図である。
この図に示したように、現金処理装置３０は、現金処理部１０、制御部２０から成り、また制御部２０には通信部２１、位置検出部２２、個人認識部２３、操作表示部２７が接続されていて、これら各部は制御部２０によって制御され、動作するものとなっている。
【００４９】
制御部２０には、配送車７の荷台の扉８の施錠手段や、現金処理部１０の異常を検出してアラームを発信する保安部２４も接続されている。
保安部２４は配送車７のエンジンと連動し、エンジンの停止中に保安部２４に内蔵されている振動検出部が異常な振動を検出した場合には、異常と判断してアラームを発信する。このアラームは、制御部２０を経由し、通信部２１から通信センタ２８０を介して運用管理センタ装置６や必要に応じて警察署等に通報される。
【００５０】
また、保安部２４は、配送車７の荷台の扉８の施錠や開錠を行ったり、扉８に取り付けられていて現金の装填、回収を行うための複数の金庫を搭載する台車を受け入れる機構部の制御も行う。
この機構部については後で説明する。
制御部２０は、主制御部２５と電源部２６、及び図示しない記憶部等によって構成され、主制御部２５はＣＰＵを内蔵し、各部から送られてくるデータをもとに現金処理装置３０全体の制御を行うと共に、運用管理センタ装置６から送られてくる現金の装填、回収に関するデータや、後述する紙幣装填回収庫や硬貨装填回収庫等の各金庫に設けられた記憶部から読み出した記憶内容等を前記記憶部に記憶させるものとなっている。
【００５１】
また、電源部２６は配送車７の発電機に接続されたバッテリと、このバッテリの電源を現金処理装置３０の各部に必要な電源に変換して供給するもので、内蔵バッテリを有しており、この内蔵バッテリにより配送車７の停止中にも現金処理装置３０の動作を可能にしている。
現金処理部１０は、例えば万、五千、二千、千の４金種の紙幣を金種別に保管するための紙幣保管庫１１、ＰＯＳレジスタ２やＡＴＭ３との間で紙幣の授受を行うための紙幣装填回収庫（現金装填回収庫）１２、紙幣保管庫１１と紙幣装填回収庫１２とをつないで紙幣を相互に移動するための紙幣搬送部１３、ＰＯＳレジスタ２やＡＴＭ３からリジェクト紙幣を受入れるためのリジェクト庫１４、ＰＯＳレジスタ２やＡＴＭ３との間で硬貨の授受を行うための硬貨装填回収庫（現金装填回収庫）１５、これら紙幣装填回収庫１２やリジェクト庫１４及び硬貨装填回収庫１５等の各金庫を搭載して配送車７とコンビニエンスストア１のＰＯＳレジスタ２やＡＴＭ３との間を移動するための台車１６、更にこの台車１６に搭載されるリジェクト庫１４及び硬貨装填回収庫１５を自動的に交換するための交換部１７により構成されている。
【００５２】
これら紙幣装填回収庫１２、リジェクト庫１４、硬貨装填回収庫１５の各金庫は、それぞれ複数個ずつ用意され、ＰＯＳレジスタ２とＡＴＭ３に共通に使用するため、各金庫毎に同一構造に形成されている。
図６は台車１６の概略斜視図である。
台車１６には紙幣装填回収庫１２やリジェクト庫１４及び硬貨装填回収庫１５を搭載されるが、ここではそれぞれ３個の紙幣装填回収庫１２ａ〜１２ｃ、リジェクト庫１４ａ〜１４ｃ、及び硬貨装填回収庫１５ａ〜１５ｃを搭載する例を示している。
【００５３】
通常のコンビニエンスストア１は、１台のＡＴＭ３と、３〜４台のＰＯＳレジスタ２が設置される場合が多い。
また、２台のＰＯＳレジスタ２は、１台のＰＯＳレジスタ用紙幣処理部を共用できるので、紙幣処理部は１台のＡＴＭ３の分と、２台のＰＯＳレジスタ２の分の合計３台分あればよい。
【００５４】
もし、これを越える大型のコンビニエンスストア１の場合は、台車１６により後述する金庫交換作業が繰り返して行われる。
台車１６上には、紙幣装填回収庫１２ａ〜１２ｃ用の位置決め機構７１ａ〜７１ｃと、リジェクト庫１４ａ〜１４ｃ用の位置決め機構７２ａ〜７２ｃが取り付けられている。
これらの位置決め機構７１ａ〜７１ｃ及び７２ａ〜７２ｃは、台車１６の下面に設けられた台車保安部７３により制御され、紙幣装填回収庫１２ａ〜１２ｃやリジェクト庫１４ａ〜１４ｃを台車１６上に固定保持している。
【００５５】
尚、硬貨装填回収庫１５ａ〜１５ｃは、それぞれリジェクト庫１４ａ〜１４ｃ上に重ねられ、接続して一体化されている。
図７は台車１６の構成を示すブロック図である。
台車保安部７３は、台車１６の各部の制御を行う台車制御部７４と、台車１６の各部に電源を供給するための電池による電源部７５、外部との通信を行う通信部７６と、異常が発生した場合に警報音を発生する警報部７８を備えている。
【００５６】
また、通信部７６にはデータの送受信を行うＰＨＳ７７が接続され、警報部７８には異常が発生した場合に台車１６の車輪の回転を止めて移動を停止させるブレーキ（制動機構）７９が接続されており、そして、台車制御部７４には、台車１６が現金処理部１０に装着されたとき、現金処理部１０と通信を行うための現金処理部インターフェース８０が接続されている。
【００５７】
台車１６上の位置決め機構７１ａ〜７１ｃ及び７２ａ〜７２ｃは、台車制御部７４により接続され、台車制御部７４は現金処理部インターフェース８０を経由して現金処理部１０から送られてくる指示に基づいて紙幣装填回収庫１２ａ〜１２ｃやリジェクト庫１４ａ〜１４ｃを台車１６上の所定の位置にそれぞれ位置決めして固定保持すると共に、これら紙幣装填回収庫１２ａ〜１２ｃやリジェクト庫１４ａ〜１４ｃを取り外す場合は、その固定を解除するようになっている。
【００５８】
硬貨装填回収庫１５ａ〜１５ｃは、それぞれリジェクト庫１４ａ〜１４ｃ上に重ねられ、接続して一体化されている。紙幣装填回収庫１２ａ〜１２ｃやリジェクト庫１４ａ〜１４ｃがそれぞれ位置決め機構７１ａ〜７１ｃ、７２ａ〜７２ｃにより固定されると、台車制御部７４が紙幣装填回収庫１２ａ〜１２ｃやリジェクト庫１４ａ〜１４ｃに設けられた記憶部に書き込まれているデータを読み出せるようになっている。
【００５９】
また、台車制御部７４は、現金処理部インターフェース８０により現金処理部１０との接続が切れたことを検出すると、通信部７６によりＰＨＳ７７でその時の地図上における台車１６の位置を記憶し、その後定期的にＰＨＳ７７により位置をチェックして、当初記憶した位置から遠方に台車１６が移動したことを検出すると異常事態が発生したと判定する判定手段として機能する。
【００６０】
つまり、配送車７から降ろされた台車１６が移動する距離は、通常数十メートル以内であるので、それ以上の距離を移動した場合は盗難等の異常事態が発生したと判定する。このような異常事態が発生した場合、台車制御部７４は、警報部７８に対して警報を発生するように指示すると共に、ブレーキ７９を動作させて台車１６が移動できないように制動する。
【００６１】
更に、通信部７６に対してＰＨＳ７７により運用管理センタ装置６に対して異常事態の発生と、台車１６の現在位置を緊急通報するように指示する。
このように、万一台車１６ごと現金が盗難等にあった場合でも、自動的にその異常事態を判定して警報音を発すると共に、運用管理センタ装置６に異常事態の発生と台車１６の現在位置を緊急通報する。
【００６２】
尚、ここではＰＨＳ７７による現在位置の検出をもとに判定するように説明したが、例えば係員に発信機を携帯させ、発信機による係員の位置と台車１６との距離を測定して異常事態発生の有無を判定するようにしてもよい。
また、ＰＯＳレジスタ２やＡＴＭ３の紙幣装填回収庫１２やリジェクト庫１４及び硬貨装填回収庫１５を交換するときは、ＰＨＳ７７により該当のＰＯＳレジスタ２やＡＴＭ３と通信を行い、ＰＯＳレジスタ２やＡＴＭ３が交換の準備ができたときだけ、台車１６上の該当する紙幣装填回収庫１２やリジェクト庫１４等の位置決め機構７１，７２に対して固定を解除するように指示を出すことで、必要な紙幣装填回収庫１２やリジェクト庫１４等のみを交換できるようにすることができ、これにより操作ミスを防止すると共に、防犯性も向上する。
【００６３】
図８は現金処理部１０の内部構造を示す概略斜視図である。
尚、この図８では説明を分かり易くするため、現金処理部１０に設けられている交換部１７は省略している。
現金処理部１０とＰＯＳレジスタ２及びＡＴＭ３との現金の授受は紙幣装填回収庫１２やリジェクト庫１４、及び硬貨装填回収庫１５を介して行われるが、これら紙幣装填回収庫１２やリジェクト庫１４、及び硬貨装填回収庫１５等は台車１６に固定されたまま現金処理部１０に動作可能に連結される。
【００６４】
すなわち、この図８に示したように台車１６上に固定された紙幣装填回収庫１２ａ〜１２ｃ、リジェクト庫１４ａ〜１４ｃ、及び硬貨装填回収庫１５ａ〜１５ｃは、台車１６と一体に現金処理部１０の下方から上方に移動することにより紙幣搬送部１３に連結されるようになっており、そのため、現金処理部１０の下面には、台車１６との積み降しを可能にする積み降し口が設けられている。
【００６５】
この場合、紙幣搬送部１３の紙幣装填回収庫搬送路８１ａ〜８１ｃは紙幣装填回収庫１２ａ〜１２ｃの紙幣出入口８２ａ〜８２ｃと、また紙幣搬送部１３のリジェクト庫搬送路８３ａ〜８３ｃはリジェクト庫１４ａ〜１４ｃの紙幣出入口８４ａ〜８４ｃとそれぞれ連結する。
図９はその連結状態を示す図で、ここでは図を分かり易くするために台車１６の把手や車輪、台車保安部７３等は省略している。
【００６６】
図９に示したように、紙幣搬送部１３の一部には、搬送する紙幣の金種、真偽、正損、表裏等の認識を行う紙幣認識部８５が配置され、また紙幣保管庫１１として万、五千、二千、千の４金種の紙幣をその金種別に保管する４つの紙幣保管庫１１ａ〜１１ｄが設けられており、更に、これらの紙幣保管庫１１ａ〜１１ｄから紙幣を必要枚数取り出して紙幣装填回収庫１２ａ〜１２ｃに装填するときに発生するリジェクト紙幣を収納する装填リジェクト庫８６が紙幣認識部８５の下方に配置されている。
【００６７】
図１０は紙幣保管庫１１とその周辺部の動作を示す斜視図である。
紙幣保管庫１１（１１ａ〜１１ｄ）を挟んで上側には紙幣保管庫進入搬送路１３ａ、下側には紙幣保管庫放出搬送路１３ｂが配置されており、紙幣保管庫１１に収納されて保管される紙幣は、紙幣保管庫進入搬送路１３ａを図の左側から搬送されてくる。
この紙幣保管庫進入搬送路１３ａの途中には、搬送されてくる紙幣を紙幣保管庫１１側に誘導するブレード９１が配設されており、必要に応じて紙幣を紙幣保管庫進入搬送路１３ａから紙幣を紙幣保管庫１１の上側に設けられている入口９４に誘導して紙幣保管庫１１内に収納させるようになっている。
【００６８】
一方、紙幣保管庫１１に収納されている紙幣は、紙幣保管庫１１の下側に設けられている出口から分離ローラ９２により１枚ずつ分離して取り出され、紙幣保管庫放出搬送路１３ｂに送り込まれる。
分離ローラ９２と紙幣保管庫放出搬送路１３ｂとの合流部にはブレード９３が配設されており、紙幣保管庫放出搬送路１３ｂに送り込まれた紙幣を図の右側に誘導するようになっている。
【００６９】
図１１は紙幣保管庫１１の紙幣収納状態を示す斜視図である。
紙幣保管庫１１の入口９４から進入した紙幣Ｐ１は水平に積み重なるように集積され、集積された紙幣は図示しない押し下げ板により分離ローラ９２のある下方に押し下げられる。
この押し下げ板は紙幣Ｐ１に進入時、その進入を妨げないように紙幣保管庫１１の天井部等に退避している。
【００７０】
図１２は紙幣保管庫１１とその周辺部の動作を示す斜視図である。
紙幣装填回収庫１２（１２ａ〜１２ｃ）の上側には紙幣装填回収庫搬送路１３ｃが配置されており、紙幣装填回収庫１２に収納されて保管される紙幣は、紙幣保管庫搬送路１３ｃを図の左側から搬送されてくる。
この紙幣保管庫搬送路１３ｃの途中には、搬送されてくる紙幣を紙幣装填回収庫１２側に誘導するブレード１０１が配設されており、必要に応じて紙幣を紙幣装填回収庫搬送路１３ｃから紙幣装填回収庫１２に誘導する。
【００７１】
ブレード１０１と紙幣装填回収庫１２との間には方向変換路１３ｄが設けられており、ブレード１０１により下向きに誘導されて方向変換路１３ｄに進入した紙幣は進行方向左方向に回転しながら搬送される。
そして、方向変換路１３ｄは紙幣を９０度回転させたところで、搬送方向を水平方向とし、紙幣を図の紙面奥方向に搬送して紙幣装填回収庫１２の上部に設けられた紙幣出入口８２から紙幣装填回収庫１２内に収納させる。
【００７２】
一方、紙幣装填回収庫１２の紙幣出入口８２の内側には、収納されている紙幣を１枚ずつ分離して繰り出す分離部が設けられており、この分離部により紙幣装填回収庫１２から繰り出された紙幣は方向変換路１３ｄに進入して前記と逆の経路で紙幣装填回収庫搬送路１３ｃに送り込まれ、紙幣装填回収庫搬送路１３ｃにより図の左方向へ搬送される。
図１３は紙幣装填回収庫１２の紙幣収納状態を示す斜視図である。
【００７３】
紙幣保管庫１１の紙幣出入口８２から進入した紙幣Ｐ２は、紙幣保管庫１１内に設けられた上下動可能なステージ上に水平に集積され、集積された紙幣Ｐ２はステージの上下動により最上位の位置が常に所定の位置になるように保たれる。
図１４はリジェクト庫１４とその周辺部の動作を示す斜視図である。
リジェクト庫１４（１４ａ〜１４ｄ）の上側にはリジェクト搬送路１３ｅが配置されており、リジェクト庫１４に収納されて保管される紙幣は、リジェクト搬送路１３ｅを図の左側から搬送されてくる。
【００７４】
このリジェクト搬送路１３ｅの途中には、搬送されてくる紙幣をリジェクト庫１４側に誘導するブレード１１１が配設されており、必要に応じてリジェクト搬送路１３ｅから紙幣をリジェクト庫１４側に誘導するようになっている。
ブレード１１１により誘導された紙幣は、リジェクト庫搬送路８３により下方に搬送され、リジェクト庫１４の上側に設けられている紙幣口８４からリジェクト庫１４内に収納される。
【００７５】
図１５はリジェクト庫１４の紙幣収納状態を示す斜視図で、図示したように紙幣保管庫１１の紙幣口８４から進入した紙幣Ｐ３は水平に積み重なるように集積される。
尚、装填リジェクト庫８６（図９参照）は、リジェクト庫１４と同一の構造であり、リジェクト庫１４と同様に紙幣の収納、保管が行われる。
次に、運用管理センタ装置６から配送車７に対して現金処理装置３０での現金の装填または回収が指示された場合の動作について説明する。
図１６は、現金処理装置３０への紙幣の収納動作を示す説明図である。
【００７６】
紙幣装填回収庫１２ａ〜１２ｃには運用管理センタ装置６の指示に従って必要な紙幣が装填された上で、前述したように現金処理部１０に連結される。
そして、係員が操作表示部２７により紙幣の移し替えを指示すると、主制御部２５の制御により各紙幣装填回収庫１２ａ〜１２ｃから現金処理部１０の紙幣保管庫１１ａ〜１１ｄへの紙幣の移し替えが行われる。
【００７７】
例えば、紙幣装填回収庫１２ａから千の紙幣を移す場合、紙幣装填回収庫１２ａ内の分離部により１枚ずつ繰り出された紙幣は方向転換搬送路を経由してブレード１０１ａにより紙幣装填回収庫搬送路１３ｃに誘導され、図の左方向に搬送されて紙幣認識部８５を通過する。
その際、紙幣認識部８５で紙幣の金種や搬送状態等が判断され、そして金種が千円で、正常と判断された場合、その紙幣はブレード１２１の誘導により更に左方向に送られる。そして移動先として例えば紙幣保管庫１１ａが指定されている場合、紙幣はブレード９１ａにより誘導され、紙幣保管庫１１ａに収納される。
【００７８】
もし、紙幣認識部８５で、例えば二枚重ねが検出されたり、汚れ等で金種が判別できないとされた紙幣は、リジェクト紙幣としてブレード１２１により下方に誘導され、更にブレード１２２、１２４、１２５の誘導により装填リジェクト庫８６に搬送されて収納される。万、五千、二千の紙幣についても、同様の動作により予め移動先として指定された紙幣保管庫１１ｂ〜１１ｄに金種別に振り分けられて収納される。
【００７９】
紙幣装填回収庫１２ａの紙幣がすべて紙幣保管庫１１ａ〜１１ｄに移されると、同様の動作で紙幣装填回収庫１２ｂ、１２ｃの紙幣が順に紙幣保管庫１１ａ〜１１ｄに移される。
但し、準備する現金の量が、例えば１つの紙幣装填回収庫１２ａに充分入り切る場合は、紙幣装填回収庫１２ｂ、１２ｃを空の状態にして現金処理部１０に連結させればよい。
【００８０】
また、このとき、リジェクト庫１４や硬貨装填回収庫１５は最初に訪問する予定のコンビニエンスストア１に割り当てられたものが台車１６に装着されるが、その詳細については後で説明する。
図１７は現金処理装置３０から紙幣装填回収庫１２ａ〜１２ｃへの現金の装填動作を示す説明図である。
【００８１】
配送車７がコンビニエンスストア１に到着する前に、該当するコンビニエンスストア１に設置されているＰＯＳレジスタ２やＡＴＭ３に装填するために、現金処理装置３０は予め運用管理センタ装置６から指示された量の紙幣を紙幣装填回収庫１２へ装填する。
ここで、例えば紙幣保管庫１１ｄに収納されている万円紙幣を所定枚数紙幣装填回収庫１２ａに装填する場合、まず、紙幣保管庫１１ｄの下部から紙幣が繰り出され、その繰り出された紙幣はブレード９２ｂに誘導されて紙幣保管庫放出搬送路１３ｂに送り込まれる。
【００８２】
そして、紙幣は更にブレード１２２、１２１を通過して紙幣認識部８５に搬送され、この紙幣認識部８５を通過する際に搬送状態の検出、金種等の判定が行われる。
その結果、万円の紙幣が正常に搬送されていると判断されると、紙幣はブレード１２３を通過して、紙幣装填回収庫搬送路１３ｃを右方向に搬送され、更にブレード１０１ａにより下方向に誘導されて方向変換搬送路を通過し、紙幣装填回収庫１２ａに装填される。
【００８３】
また、紙幣認識部８５で、二枚重ねが検出されたり、汚れ等で金種が判別できないとされた紙幣は、リジェクト紙幣としてブレード１２３により下方に誘導され、更にブレード１２４、１２５の誘導により装填リジェクト庫８６に搬送されて収納される。
このようにして必要な枚数の万円の紙幣装填回収庫１２ａに装填され、同様にして紙幣保管庫１１ｂ〜１１ｄから必要な枚数、金種の紙幣が紙幣装填回収庫１２ａに装填される。
【００８４】
また、紙幣装填回収庫１２ｂ、１２ｃに対しても、同様に紙幣の装填が行われる。
尚、装填リジェクト庫８６に収納された紙幣は、すべての業務が終了した後、所定の係員により取り出されて計数される。
これにより精査等における計数の一致を確認することが可能になる。
一方、配送車７がコンビニエンスストア１を訪問した場合は、ＰＯＳレジスタ２やＡＴＭ３から紙幣を回収した後、紙幣装填回収庫１２（１２ａ〜１２ｃ）の紙幣を現金処理部１０の紙幣保管庫１１（１１ａ〜１１ｃ）に回収する。
【００８５】
このとき台車１６にはＰＯＳレジスタ２やＡＴＭ３から紙幣を回収した紙幣装填回収庫１２ａ〜１２ｃ、リジェクト庫１４ａ〜１４ｃ、硬貨装填回収庫１５ａ〜１５ｃが搭載されている。
図１８は現金処理部１０への紙幣の回収動作を示す説明図である。
まず、紙幣装填回収庫１２ａ〜１２ｃを現金処理部１０に連結し、そして、係員が操作表示部２７により紙幣の移し替えを指示すると、主制御部２５の制御により各紙幣装填回収庫１２ａ〜１２ｃから現金処理部１０の紙幣保管庫１１ａ〜１１ｄへの紙幣の回収が行われる。
【００８６】
ここで、紙幣装填回収庫１２ａから紙幣を回収する場合、紙幣装填回収庫１２ａの内部にある分離部により紙幣が１枚ずつ分離されて繰り出され、繰り出された紙幣は方向転換搬送路を経由してブレード１０１ａにより紙幣装填回収庫搬送路１３ｃに誘導され、図の左方向に搬送されて紙幣認識部８５を通過する。
その際、紙幣認識部８５で紙幣の金種や搬送状態等が判断され、正常と判断された紙幣はブレード１２１の誘導により更に左方向に送られた後、金種に応じて紙幣保管庫１１ａ〜１１ｄへ振り分けられ、それぞれ回収される。
【００８７】
例えば、千円と判定された紙幣を紙幣保管庫１１ａに収納する場合、紙幣認識部８５を経た紙幣はブレード１２１により保管庫進入搬送路１３ａに誘導され、更にブレード９１ａにより誘導されて紙幣保管庫１１ａに収納される。
万、五千、二千の紙幣についても、同様の動作により紙幣保管庫１１ｂ〜１１ｄに金種別に振り分けられて回収される。
【００８８】
この回収動作において、紙幣認識部８５で、例えば二枚重ねが検出されたり、汚れ等で金種が判別できないとされた紙幣は、リジェクト紙幣としてブレード１２１により下方に誘導され、更にブレード１２２、１２４、１２５の誘導によりリジェクト搬送路１３ｅに送られる。
台車１６上には、リジェクト庫１４ａ〜１４ｃ、同じＰＯＳレジスタ２やＡＴＭ３から回収された紙幣装填回収庫１２ａ〜１２ｃと対応して同一の順序で装着されているので、リジェクト搬送路１３ｅに送られた紙幣は紙幣装填回収庫１２に対応するブレード１１１ａにより下方に誘導されてリジェクト庫１４ａに収納される。
【００８９】
紙幣装填回収庫１２ａの紙幣がすべて紙幣保管庫１１ａ〜１１ｄ及びリジェクト庫１４ａに回収されると、同様の動作で紙幣装填回収庫１２ｂ、１２ｃの紙幣が順に紙幣保管庫１１ａ〜１１ｄ及びリジェクト庫１４ｂ、１４ｃに回収される。
図１９は交換部１７を示す概略斜視図である。
交換部１７には、例えば１個の装填リジェクト庫８６と、５個のリジェクト庫１４ｄ〜１４ｈ、及び５個の硬貨装填回収庫１５ｄ〜１５ｈが収納されており、硬貨装填回収庫１５ｄ〜１５ｈは対応するリジェクト庫１４ｄ〜１４ｈ上に重ねられてそれぞれ接続機構により接続されている。
【００９０】
また、装填リジェクト庫８６の大きさ（外形）は１個のリジェクト庫１４と硬貨装填回収庫１５を接続した大きさと同等に形成されている。これらの装填リジェクト庫８６、リジェクト庫１４ｄ〜１４ｈ、及び硬貨装填回収庫１５ｄ〜１５ｈは、供給台１３１上に１列に並べられて交換部１７に装着されている。
供給台１３１はベルトコンベア等で構成されており、装填リジェクト庫８６、リジェクト庫１４ｄ〜１４ｈ、及び硬貨装填回収庫１５ｄ〜１５ｈを必要に応じて隣接するキャリア１３２に供給する。
【００９１】
キャリア１３２には、装填リジェクト庫８６または接続された１対のリジェクト庫１４と硬貨装填回収庫１５のいずれか一方を搭載することができる。
キャリア１３２には、位置決め機構１３３が設けられ、この位置決め機構１３３は供給台１３１から供給された装填リジェクト庫８６またはリジェクト庫１４と硬貨装填回収庫１５をキャリア１３２上の所定の位置に固定すると共に、台車１６にリジェクト庫１４と硬貨装填回収庫１５を積み降しする際にその移動を行う。
【００９２】
キャリア１３２は、移動台１３４を構成するコンベアの一端に取り付けられており、この位置を基準位置としてリジェクト庫１４と硬貨装填回収庫１５を載せたままコンベアの回転に伴って移動台１３４の他端へ移動することができる。
無論、逆方向への移動も可能である。
台車１６の所定位置に対応する位置にリジェクト庫１４と硬貨装填回収庫１５を移動すると、位置決め機構１３３により図の紙面奥方向にリジェクト庫１４と硬貨装填回収庫１５を移動し、台車１６上の装填リジェクト庫８６またはリジェクト庫１４、硬貨装填回収庫１５と交換する。
【００９３】
交換したリジェクト庫１４と硬貨装填回収庫１５はキャリア１３２が基準位置まで戻ると、この基準位置の下方に配置された押し上げ機構１３５により押し上げられ、押し上げられたリジェクト庫１４と硬貨装填回収庫１５は上方に配置された受入れ機構１３６により回収台１３７上に押し出される。
以上のようにして回収されたリジェクト庫１４と硬貨装填回収庫１５は回収台１３７上に順次整列させることができる。
【００９４】
図２０は現金処理部１０における各構成要素の相対位置関係を示す概略斜視図である。
この図に示したように、交換部１７は紙幣搬送部１３と台車１６の手前側に配置されている。
移動台１３４は、キャリア１３２の基準位置で装填リジェクト庫８６を紙幣搬送部１３に対応する位置に移動でき、また、キャリア１３２を台車１６に積まれているリジェクト庫１４ａ〜１４ｃと、硬貨装填回収庫１５ａ〜１５ｃに対応する位置に移動できるようになっている。
【００９５】
図２１〜図２５は現金処理部１０における交換部１７の動作を示す概略斜視図である。
まず、図２１により装填リジェクト庫８６を紙幣搬送部１３に装着する動作について説明する。
供給台１３１が、ベルトコンベアを回転して図の右方向へ移動させると、ベルトコンベアの最も右側に搭載されている装填リジェクト庫８６が押し出されてキャリア１３２上に移動し、位置決め機構１３３により装填リジェクト庫８６はキャリア１３２上の所定の位置に固定される。
【００９６】
そして、この位置決め機構１３３が装填リジェクト庫８６を矢印Ａの方向へ押し出し、これにより装填リジェクト庫８６が紙幣搬送部１３側へ移動する。
紙幣搬送部１３には、図示しない位置決め部が設けられており、装填リジェクト庫８６を所定の位置に固定する。
次に、図２２〜図２５により台車１６上のリジェクト庫１４ｉと硬貨装填回収庫１５ｉを回収する動作について説明する。
【００９７】
図２２に示したように紙幣搬送部１３に連結された台車１６上にリジェクト庫１４ｉが搭載され、このリジェクト庫１４ｉ上に硬貨装填回収庫１５ｉが重ねられて接続されている。
キャリア１３２は移動台１３４により基準位置からリジェクト庫１４ｉ，硬貨装填回収庫１５ｉと相対する位置に移動し、位置決め機構１３３が台車１６側に突出してリジェクト庫１４ｉと硬貨装填回収庫１５ｉを矢印Ｂで示したようにキャリア１３２上に引き取ると、キャリア１３２は移動台１３４により基準位置に戻る。
【００９８】
図２３に示したようにキャリア１３２が基準位置に戻ると、位置決め機構１３３はリジェクト庫１４ｉと硬貨装填回収庫１５ｉをそれまで固定していた状態から解放するので、押し上げ機構１３５の押し上げ棒１３８ａ，１３８ｂが上方に突き出し、これによりリジェクト庫１４ｉと硬貨装填回収庫１５ｉが押し上げられる。
押し上げられたリジェクト庫１４ｉと硬貨装填回収庫１５ｉは上方に配置された受入れ機構１３６に収容され、この受入れ機構１３６に設けられた押し出し機構により矢印Ｃで示した回収台１３７上に押し出される。
【００９９】
ここで回収台１３７はベルトコンベアを回転し、リジェクト庫１４ｉと硬貨装填回収庫１５ｉを所定の位置まで移動して、リジェクト庫１４ｉと硬貨装填回収庫１５ｉの回収を終了する。
同様にして図２４に示した台車１６上のリジェクト庫１４ｊと硬貨装填回収庫１５ｊ、リジェクト庫１４ｋと硬貨装填回収庫１５ｋを順次回収し、これにより空になった台車１６には、供給台１３１から新規のリジェクト庫１４ｄ〜１４ｈと、これ等に各々接続された硬貨装填回収庫１５ｄ〜１５ｈがキャリア１３２と移動台１３４により台車１６上に供給され、装着固定される。
【０１００】
以上のようにして順次、現金処理部１０と台車１６の間でリジェクト庫１４、硬貨装填回収庫１５の交換を行い、そして、配送車がコンビニエンスストア１を巡回しながらＰＯＳレジスタ２やＡＴＭ３に対する現金の装填、回収のために、ＰＯＳレジスタ２やＡＴＭ３と台車１６の間でリジェクト庫１４、硬貨装填回収庫１５の交換を行ってゆく。
予定されたすべての交換作業が終了すると配送車７が運用管理センタに戻り、現金処理部１０からすべてのリジェクト庫１４と硬貨装填回収庫１５が取り外されて回収される。
【０１０１】
すなわち、図２５に示したように各コンビニエンスストア１のＰＯＳレジスタ２やＡＴＭ３から回収した使用済みのリジェクト庫１４ｉ〜１４ｍと硬貨装填回収庫１５ｉ〜１５ｍ、及び装填リジェクト庫８６は、回収台１３７上に回収されている。
但し、このとき、回収台１３７上に回収しきれないリジェクト庫１４ｎ，１４ｐ，１４ｑと硬貨装填回収庫１５ｎ，１５ｐ，１５ｑは、台車１６上に装着されたまま運用管理センタに運ばれる。
【０１０２】
また、個々のリジェクト庫１４ｉ〜１４ｑと硬貨装填回収庫１５ｉ〜１５ｑの並び順は、その運用等によって変化する。
更に、図ではリジェクト庫１４ｉ〜１４ｑと硬貨装填回収庫１５ｉ〜１５ｑがすべての使用済みのものとした場合の状態を示しているが、対象となるＰＯＳレジスタ２やＡＴＭ３の台数が少なく、リジェクト庫１４ｉ〜１４ｑと硬貨装填回収庫１５ｉ〜１５ｑが一部未使用のまま作業が終了した場合は、その未使用のリジェクト庫１４と硬貨装填回収庫１５は供給台１３１に搭載したまま運用管理センタで回収する。
【０１０３】
図２６はリジェクト庫１４等の移送状態を示す概略斜視図である。
交換部１７の供給台１３１と回収台１３７はリジェクト庫１４と硬貨装填回収庫１５、及び装填リジェクト庫８６を搭載したまま交換部１７から取り外すことができるようになっている。
従って、配送車７が運用管理センタに戻り、コンビニエンスストア１のＰＯＳレジスタ２やＡＴＭ３から回収してきたリジェクト庫１４と硬貨装填回収庫１５の回収を行い、リジェクト庫１４や硬貨装填回収庫１５に収納されている現金の確認を行う場合、図２６に示したように供給台１３１及び回収台１３７ごとリジェクト庫１４と硬貨装填回収庫１５、及び装填リジェクト庫８６を配送車７から降すことができる。
【０１０４】
新たに運用管理センタ装置６からの指示によりＰＯＳレジスタ２やＡＴＭ３に現金を装填したり回収したりするために、配送車７で巡回する際にも、空のリジェクト庫１４と、硬貨を収納した硬貨装填回収庫１５、及び空の装填リジェクト庫８６を供給台１３１に搭載した状態で配送車に積み込み、交換部１７に装着することができる。
尚、図２５において、台車１６上に搭載されているリジェクト庫１４ｎ，１４ｐ，１４ｑと硬貨装填回収庫１５ｎ，１５ｐ，１５ｑは、紙幣装填回収庫１２と共に台車１６ごと現金処理部１から取り外されて配送車７から降され、現金の確認が行われる。
【０１０５】
ここで、交換部１７のキャリア１３２の位置決め機構１３３と、それに関連する機構について説明する。
図２７はリジェクト庫１４と硬貨装填回収庫１５の概略斜視図である。
リジェクト庫１４と硬貨装填回収庫１５の両外側には一体化するための一対の突部１６１と１６２がほぼ対称の位置にそれぞれ設けられており、リジェクト庫１４上に硬貨装填回収庫１５を重ねた状態で、一方の突部１６１と１６２に接続金具１６３ａを嵌合させ、他方の突部１６１と１６２に接続金具１６３ｂを嵌合させることでリジェクト庫１４と硬貨装填回収庫１５を一体に結合固定する。
【０１０６】
このようにリジェクト庫１４と硬貨装填回収庫１５は一体化されるので、いずれか一方を台車１６等に位置決め固定すればよい。ここではリジェクト庫１４を固定するため、リジェクト庫１４の両外側に位置決め用の突部１６４ａ，１６４ｂが設けられている。
図２８はリジェクト庫１４の位置決めを示す概略斜視図である。
この図に示したようにリジェクト庫１４の両外側に設けた位置決め用の突部１６４ａ，１６４ｂを利用して、キャリア１３２の位置決め機構１３３や、台車１６の位置決め機構７２により位置決め固定が行われる。すなわち、リジェクト庫１４は前述したように供給台１３１からキャリア１３２へ矢印Ｄ方向へ送り込まれる。
【０１０７】
これによりリジェクト庫１４が位置決め機構１３３に達すると、位置決め機構１３３の円弧状の爪１７１ａ，１７１ｂが実線の位置から矢印Ｅ方向に破線の位置まで回転してリジェクト庫１４の突部１６４ａ，１６４ｂに係合し、これによりリジェクト庫１４はキャリア１３２上に位置決めされて固定される。
爪１７１ａ，１７１ｂはレール１７２上の軸に設けられており、このレール１７２は爪１７１ａ，１７１ｂをリジェクト庫１４の突部１６４ａ，１６４ｂに係合させたまま矢印Ｆ方向へ移動できるようになっている。
【０１０８】
このレール１７２の移動によりリジェクト庫１４を台車１６上のリジェクト庫搭載位置まで押し出す。台車１６上には位置決め機構７２が設けられており、リジェクト庫１４がレール１７２によりリジェクト庫搭載位置まで送られてくると、位置決め機構７２の円弧状の爪１７３ａ，１７３ｂが実線の位置から矢印Ｇ方向に破線の位置まで回転してリジェクト庫１４の突部１６４ａ、１６４ｂに係合し、これによりリジェクト庫１４は台車１６上に位置決めされて固定される。
【０１０９】
同時にキャリア１３２の位置決め機構１３３の爪１７１ａ，１７１ｂが前記の矢印Ｅと逆の方向に回転してリジェクト庫１４を開放し、爪１７１ａ，１７１ｂがレール１７２と共に前記矢印Ｆと逆の方向に移動して元の位置に戻る。
以上のようにしてキャリア１３２から台車１６へのリジェクト庫１４の移動が行われるが、逆の手順で台車１６からキャリア１３２へリジェクト庫１４を移動することが可能である。
【０１１０】
図２９はリジェクト庫１４の平面図である。
この図２９（ａ）に示したように、リジェクト庫１４の突部１６４ｂには位置決め精度を向上させるためのＶ型の溝が設けられている。
また、図２９（ｂ）に示したように、位置決め機構１３３の爪１７１ａ，１７１ｂと位置決め機構７２の爪１７３ａ，１７３ｂはリジェクト庫１４の突部１６４ａ，１６４ｂに対して異なる位置で係合するので、キャリア１３２と台車１６との間でリジェクト庫１４の受け渡しを行うことができる。
【０１１１】
また、リジェクト庫１４を台車１６上に固定する際、爪１７３ｂが突部１６４ｂのＶ型の溝に入り込むようにしており、これによって台車１６に対するリジェクト庫１４の位置決め精度が向上し、現金処理部１０の紙幣搬送部１３との相対位置を精度よく確保することができ、搬送する紙幣をトラブルなく収納することが可能となる。
尚、リジェクト庫１４上には硬貨装填回収庫１５が固定されているので、硬貨装填回収庫１５もリジェクト庫１４と一体に移動が行われ、また位置決めもリジェクト庫１４と同様の精度が得られる。
【０１１２】
図３０は台車１６を配送車７に積み込む前の状態を示す斜視図、図３１は積み込んだ状態を示す斜視図である。
図３０に示したように台車１６を配送車７に積み込む際、配送車７の荷台後部の扉８を開き、この荷台に搭載されている現金処理機３０の現金処理部１０に合わせて台車１６を配送車７の後部側から荷台の下に押し入れる。
【０１１３】
扉８の内側には、保安部２４により制御される台車引き上げ機構１９１が設けられており、台車１６を押し入れた状態で扉８を閉じると、台車引き上げ機構１９１により台車１６が図３０に示したように現金処理部１０に収納されるように引き上げられて固定される。
このようにして、現金処理部１０に対し、台車１６と、この台車１６に搭載された紙幣装填回収庫１２、及びリジェクト庫１４と硬貨装填回収庫１５の積み込みが下側から行われる。
【０１１４】
従って、現金処理部１０の後面は開口部を必要とせず、閉塞した面とすることができるので、扉８を開いても現金処理部１０内を見ることができず、そのため防犯性が向上するものとなる。
図３２は配送車後部の扉を開けた状態の拡大斜視図、図３３は扉を閉じた状態の拡大斜視図である。
【０１１５】
扉８の内側に設けられている台車引き上げ機構１９１は、図３２に示したように台車１６の把手の水平部分を引っかけて引き上げるフック部１９２ａ，１９２ｂと、このフック部１９２ａ，１９２ｂを上下動させる昇降部１９３と、この昇降部１９３の昇降をガイドするレール部１９４により構成されており、昇降部１９３はレール部１９４にガイドされ、実線で示した位置から破線で示した位置まで上昇する。
【０１１６】
また、現金処理部の後端面には、台車１６の把手の垂直部分をガイドするガイド１９５ａ，１９５ｂが取り付けられている。台車１６を配送車７の後部側から荷台の下に押し入れて扉８を閉じると、台車引き上げ機構１９１のフック部１９２ａ，１９２ｂが台車１６の把手の水平部分に引っかかり、そして昇降部１９３によりフック部１９２ａ，１９２ｂが上昇すると、台車１６はフック部１９２ａ，１９２ｂにより引き上げられる。
【０１１７】
このとき、台車１６の把手の垂直部分がガイド１９５ａ，１９５ｂによりガイドされ、台車１６は水平状態を保ったまま安定した状態で引き上げられる。
そして、昇降部１９３がレール部１９４の最上端まで移動すると、図３３に示したように台車１６と共に紙幣装填回収庫１２、リジェクト庫１４及び硬貨装填回収庫１５が現金処理部１０に収納されて固定され、図９の動作可能な状態となる。
【０１１８】
尚、扉８は図４に示したしたように分割して、その片側を台車引き上げ機構１９１の動作に対して必要な大きさにしておけば、扉８を開放する大きさが小さくなり、現金処理部１０が見えにくくなるので、防犯性はより高いものとなる。
図３４はＰＯＳレジスタ２やＡＴＭ３に内蔵される紙幣処理部２１０の構成を示すブロック図である。
【０１１９】
この紙幣処理部２１０は、取引毎の紙幣の投入及び支払いを行う紙幣出入口２１１、投入された紙幣のうちの判定不能等で顧客に戻す紙幣を排出する紙幣出口２１４、紙幣の金種や真偽等を判定する認識部２１２、紙幣を金種別に保管する紙幣保管庫（収納部）２１３ａ，２１３ｂ，２１３ｃ、これらの紙幣保管庫２１３ａ〜２１３ｃに対する紙幣の装填や回収を行うための紙幣装填回収庫１２、紙幣の支払いや装填の際に発生するリジェクト紙幣を収納するリジェクト庫１４を備えている。
【０１２０】
ここで、紙幣処理部２１０の紙幣保管庫２１３ａ〜２１３ｃは、ＰＯＳレジスタ２の場合、例えば、紙幣保管庫２１３ａに千円の紙幣、紙幣保管庫２１３ｂに二千円の紙幣をそれぞれ収納し、紙幣保管庫２１３ｃには釣り銭として使用しない五千円と万円及び損券の紙幣を収納するように割り当てられる。
また、ＡＴＭ３の場合は、例えば、紙幣保管庫２１３ａに千円の紙幣、紙幣保管庫２１３ｂに万円の紙幣をそれぞれ収納し、紙幣保管庫２１３ｃには支払いに用いない二千円と五千円と及び損券の紙幣を収納するように割り当てられる。
【０１２１】
このような構成による紙幣処理部２１０は以下のように動作する。
まず、入金の場合、紙幣出入口２１１に投入された紙幣は、１枚ずつ分離されて認識部２１２に送られ、この認識部２１２で金種等の判定が行われる。
その結果、受入可能な紙幣は金種別に計数され、そして金種別に振り分けられて紙幣保管庫２１３ａ〜２１３ｃにそれぞれ収納される。
また、認識部２１２でリジェクトと判定された紙幣は、紙幣出口２１４に送られて返却される。
【０１２２】
釣り銭の支払いあるいは出金取引での紙幣の支払いの場合は、指定金種の紙幣が紙幣保管庫２１３ａ、２１３ｂから順次１枚ずつ繰り出されて認識部２１２に送られ、この認識部２１２で金種等の判定が行われる。
その結果、支払い可能な紙幣は金種別に計数され、紙幣出入口２１１に搬送されて集積される。
【０１２３】
そして、操作者により指定または装置により認可された金額分の紙幣が紙幣出入口２１１に集積されたことを確認した上で紙幣出入口２１１から支払われる。
また、リジェクトと判定された紙幣は、リジェクト庫１４に送られて回収される。
紙幣装填のために紙幣装填回収庫１２が紙幣処理部２１０に装着された場合は、紙幣装填回収庫１２から紙幣が順次１枚ずつ繰り出されて認識部２１２に送られ、この認識部２１２で金種等の判定が行われる。
その結果、装填可能な紙幣は金種別に計数され、そして金種別に振り分けられて紙幣保管庫２１３ａ，２１３ｂにそれぞれ収納される。
【０１２４】
また、リジェクトと判定された紙幣は、リジェクト庫１４に送られて収納される。紙幣保管庫２１３ａ〜２１３ｃの紙幣を回収する場合は、紙幣保管庫２１３ａ〜２１３ｃから順に１枚ずつ繰り出されて認識部２１２に送られ、この認識部２１２で金種等の判定が行われる。
その結果、金種が判明した紙幣は金種別に計数されて紙幣装填回収庫１２に収納される。
また、リジェクトと判定された紙幣は、リジェクト庫１４に送られて収納される。
【０１２５】
このようにリジェクト庫１４には、紙幣装填回収庫１２から紙幣保管庫２１３ａ，２１３ｂへの紙幣を装填または紙幣保管庫２１３ａ〜２１３ｃから紙幣装填回収庫１２への紙幣の回収の際に認識部２１２でリジェクトと判定された紙幣、及び釣り銭の支払いあるいは出金取引の際に認識部２１２でリジェクトと判定された紙幣を収容する。
従って、紙幣の回収が終了したとき、各ＰＯＳレジスタ２やＡＴＭ３からの紙幣回収枚数は、
〔紙幣回収枚数〕＝〔紙幣装填枚数〕＋〔紙幣入金枚数〕−〔紙幣支払い枚数〕＝〔紙幣装填回収庫内紙幣枚数〕＋〔リジェクト庫内紙幣枚数〕
となるので、紙幣装填回収庫１２とリジェクト庫１４にそれぞれ収納されている紙幣を計数して合算すれば、紙幣回収枚数の総数を確認することができる。
【０１２６】
図３５はＰＯＳレジスタ２やＡＴＭ３に内蔵される硬貨処理部２２０の構成を示すブロック図である。
この硬貨処理部２２０は、取引毎に硬貨を投入する硬貨入口２２１、投入された硬貨のうちのリジェクト硬貨を返却する硬貨出口２２２、硬貨を金種別に保管する硬貨保管庫（収納部）２２３ａ〜２２３ｆ、これらの硬貨保管庫２２３ａ〜２２３ｆに対する硬貨の装填や回収を行うための硬貨装填回収庫１５、硬貨の支払いや装填の際に発生するリジェクト硬貨を収納する硬貨リジェクト庫２２４、及び硬貨の金種や真偽等を判定する検銭部２２５を備えている。
【０１２７】
ここで、硬貨保管庫２２３ａ〜２２３ｆの収納金種として、例えば、硬貨保管庫２２３ａには一円、硬貨保管庫２２３ｂには五円、硬貨保管庫２２３ｃには十円、硬貨保管庫２２３ｄには五十円、硬貨保管庫２２３ｅには百円、硬貨保管庫２２３ｆには五百円がそれぞれ割り当てられている。
このような構成による硬貨処理部２２０は以下のように動作する。
【０１２８】
まず、入金の場合、硬貨入口２２１に投入された硬貨は１枚ずつ検銭部２２５に送られて、この検銭部２２５で金種等の判定が行われる。
その結果、受入可能な硬貨は金種別に計数され、そして金種別に振り分けられて硬貨保管庫２２３ａ〜２２３ｆの上方からそれぞれ内部に収納される。また、検銭部２２５でリジェクトと判定された硬貨は、硬貨出口２２２に送られて返却される。
【０１２９】
釣り銭の支払いあるいは出金取引での硬貨の支払いの場合は、指定金種の硬貨が硬貨保管庫２２３ａ〜２２３ｆの下側から順次１枚ずつ繰り出されて検銭部２２５に送られ、この検銭部２２５で金種等の判定が行われる。
その結果、支払い可能な硬貨は金種別に計数され、硬貨出口２２１に搬送されて集積される。
【０１３０】
そして、操作者により指定または装置により認可された金額分の硬貨が硬貨入出口２２１に集積されたことを確認した上で硬貨出口２２２から支払われる。
また、リジェクトと判定された硬貨は、硬貨リジェクト庫２２４に送られて回収される。硬貨装填のために硬貨装填回収庫１５が硬貨処理部２２０に装着された場合は、硬貨装填回収庫１５の下側から硬貨が順次１枚ずつ繰り出されて検銭部２２５に送られ、この検銭部２２５で金種等の判定が行われる。
【０１３１】
その結果、装填可能な硬貨は金種別に計数され、そして金種別に振り分けられて硬貨保管庫２２３ａ〜２２３ｆにそれぞれ収納される。
また、リジェクトと判定された硬貨は、硬貨リジェクト庫２２４に送られて収納される。硬貨保管庫２２３ａ〜２２３ｆの硬貨を回収する場合は、硬貨保管庫２２３ａ〜２２３ｆの下側から順に硬貨が１枚ずつ繰り出され、そのまま硬貨装填回収庫１５に送られて、硬貨装填回収庫１５の上方から内部に収納される。
【０１３２】
そして、硬貨保管庫２２３ａ〜２２３ｆがすべて空になると、硬貨リジェクト庫２２４の下側から順に硬貨が１枚ずつ繰り出され、そのまま硬貨装填回収庫１５に送られて、硬貨装填回収庫１５の上方から内部に収納される。
硬貨は紙幣と違って金種が多く、高速処理が難しい等の理由で紙幣に比べて処理時間がかかるとされているが、上述のように硬貨の回収では、硬貨保管庫２２３ａ〜２２３ｆから繰り出した硬貨をすべて検銭部２２５を通すことなく直接硬貨装填回収庫１５に送って収納するので、これにより回収の処理時間を短縮することが可能である。
【０１３３】
また、検銭部２２５を介さないために、回収時に計数保証が危惧されるが、硬貨保管庫２２３ａ〜２２３ｆ内の硬貨は、少なくとも入金や装填等の受入れ時に検銭部２２５で金種が確定した正当な硬貨と判定されており、また支払いの場合は検銭部２２５で金種判定等を行うので、万一回収処理で計数上の問題が発生しても装置内部の問題として処理することができ、顧客に迷惑をかけることがないので、支障のない装置運用が可能となる。
【０１３４】
硬貨の回収が終了したとき、硬貨リジェクト庫２２４の硬貨も硬貨装填回収庫１５にすべて回収されているので、各ＰＯＳレジスタ２やＡＴＭ３からの硬貨回収枚数は、
〔硬貨回収枚数〕＝〔硬貨装填枚数〕＋〔硬貨入金枚数〕−〔硬貨支払い枚数〕＝〔硬貨装填回収庫内硬貨枚数〕
となる。
【０１３５】
従って、硬貨装填回収庫１５内に収納されている硬貨を計数すれば、硬貨回収枚数の総数を確認することができる。
以上のように本実施例では、紙幣処理部２１０のリジェクト庫１４に収納されているリジェクト紙幣はリジェクト庫１４ごと回収し、硬貨処理部２２０の硬貨リジェクト庫２２４に収納されているリジェクト硬貨は硬貨装填回収庫１５に移して回収するものとしている。
【０１３６】
これにより紙幣処理部２１０においては、折れ癖や破損等があることが多いリジェクト紙幣の搬送によるジャムの発生を防止することができ、また硬貨処理部２２０においては、硬貨リジェクト庫２２４の取り扱いが不要となって処理が簡素化されることになる。
ところで、本実施例における紙幣装填回収庫１２、リジェクト庫１４、硬貨装填回収庫１５、及び装填リジェクト庫８６は、紙幣や硬貨の出入口と、紙幣や硬貨の取り出しや収納を行うための機構部等を有し、これらが鍵で保護された密閉構造に形成されている。
【０１３７】
また、これら紙幣装填回収庫１２、リジェクト庫１４、硬貨装填回収庫１５、及び装填リジェクト庫８６には、これらが装着されていたＰＯＳレジスタ２やＡＴＭ３等の本体情報や、収納されている現金に関する情報を記憶する記憶部が内蔵されており、ＰＯＳレジスタ２やＡＴＭ３、及び配送車７に搭載された現金処理部装置３０等は前記記憶部に対して必要に応じて情報の読み出しや書き換えを行えるようになっている。
【０１３８】
図３６は本実施例で用いる各金庫すなわち紙幣装填回収庫１２、リジェクト庫１４、硬貨装填回収庫１５、装填リジェクト庫８６に設けられた記憶部の記憶内容を示す図であり、記憶部に記憶される内容（データ）は紙幣装填回収庫１２、リジェクト庫１４、硬貨装填回収庫１５、装填リジェクト庫８６で以下に述べるようにそれぞれ異なっている。
図３６（ａ）は紙幣装填回収庫１２に設けられた記憶部２３１の記憶内容で、紙幣装填回収庫１２毎に付与されている登録番号である紙幣装填回収庫Ｎｏ．、当該紙幣装填回収庫１２が装着されたＰＯＳレジスタ２やＡＴＭ３の本体の登録番号である本体Ｎｏ．（装置固有の識別情報）、当該紙幣装填回収庫１２と組み合わせて同じ本体に装着するリジェクト庫１４の登録番号であるリジェクト庫Ｎｏ．、及び金種別内訳としての当該紙幣装填回収庫内に収納されている金種別の紙幣枚数により構成されている。
【０１３９】
図３６（ｂ）はリジェクト庫１４に設けられた記憶部２３２の記憶内容で、リジェクト庫１４毎に付与されている登録番号であるリジェクト庫Ｎｏ．、そのリジェクト庫１４が装着されたＰＯＳレジスタ２やＡＴＭ３の本体の登録番号である本体Ｎｏ．（装置固有の識別情報）、及び金種別内訳としての当該リジェクト庫内に収納されている金種別の紙幣枚数（演算値）により構成されている。
【０１４０】
図３６（ｃ）は硬貨装填回収庫１５に設けられた記憶部２３３の記憶内容で、硬貨装填回収庫１５毎に付与されている登録番号である硬貨装填回収庫Ｎｏ．、当該硬貨装填回収庫１５が装着されたＰＯＳレジスタ２やＡＴＭ３の本体の登録番号である本体Ｎｏ．（装置固有の識別情報）、及び金種別内訳としての当該硬貨装填回収庫内に収納されている金種別の硬貨枚数により構成されている。
【０１４１】
図３６（ｄ）は装填リジェクト庫８６に設けられた記憶部２３４の記憶内容で、装填リジェクト庫８６毎に付与されている登録番号である装填リジェクト庫Ｎｏ．、当該装填庫１２が装着された現金処理装置３０の本体の登録番号である現金処理装置Ｎｏ．、及び金種別内訳としての当該装填リジェクト庫内に収納された金種別の紙幣の枚数（推定値）により構成されている。
【０１４２】
図３７〜図４５は上述した構成における現金の処理手順を示すフローチャートで、以下にこれらの図にＳで示したステップに従って現金の装填、回収について説明する。
コンビニエンスストア１では、商品の販売に従って売上情報がＰＯＳレジスタ２に入力されると（Ｓ１）、その売上情報をＣＶＳセンタ装置４に報告する（Ｓ２）。
ＣＶＳセンタ装置４では、ＰＯＳレジスタ２２からの売上情報に従って商品の在庫、売上管理と同時に釣り銭や準備金と売上金等の在高を監視する（Ｓ３）。
【０１４３】
また、コンビニエンスストア１のＡＴＭ３は、顧客の操作による取引に従って取引情報が入力されると（Ｓ４）、その取引情報を金融センタ装置５に報告する（Ｓ５）。
金融センタ装置５では、ＡＴＭ３からの取引情報に従って、顧客口座の取引に従った処理等と同時に取引準備金等の在高を監視する（Ｓ６）。
これらのＣＶＳセンタ装置４や金融センタ装置５によるコンビニエンスストア１のＰＯＳレジスタ２やＡＴＭ３の監視は常時行われている。
【０１４４】
一方、運用管理センタ装置６では、所定の時間になるとＰＯＳレジスタ２やＡＴＭ３に対する現金の装填や回収のための配送車７による巡回処理を開始させる（Ｓ７）。
まず、運用管理センタ装置６からＣＶＳセンタ装置４と金融センタ装置５に対して、装填、回収に関する指示の要求が出される（Ｓ８）。
このとき、各コンビニエンスストア１の今回の訪問予定時刻と、次回の訪問予定時刻が通知される。ＣＶＳセンタ装置４では、それまでの各ＰＯＳレジスタ２に対する監視データと、今回及び次回の訪問予定時刻に従って、該当するすべてのＰＯＳレジスタ２に対する現金の装填、回収の必要性を判断し、また各ＰＯＳレジスタ２について紙幣、硬貨の金種別の装填枚数を算出する（Ｓ９）。
【０１４５】
そして、ＣＶＳセンタ装置４は運用管理センタ装置６に対し、今回の巡回するすべてのＰＯＳレジスタ２ついて、金種別の装填枚数算出結果と装填、回収の要否を通知する（Ｓ１０）。
同様に金融センタ装置５では、それまでの各ＡＴＭ３に対する監視データと、今回及び次回の訪問予定時刻に従って、該当するすべてのＡＴＭ３に対する現金の装填、回収の必要性を判断し、また各ＡＴＭ３について紙幣、硬貨の金種別の装填枚数を算出する（Ｓ１１）。
【０１４６】
そして、金融センタ装置５は運用管理センタ装置６に対し、今回の巡回するすべてのＡＴＭ３ついて、金種別の装填枚数算出結果と装填、回収の要否を通知する（Ｓ１２）。
尚、ここでは運用管理センタ装置６が所定時刻になると、ＣＶＳセンタ装置４や金融センタ装置５に対して装填、回収の指示の要求を出すものとしたが、予想以上に来店客があったり、高額の支払い取引が行われる等の理由でＣＶＳセンタ装置４や金融センタ装置５で、釣り銭準備金や取引準備金が予想以上に早く減少したと判断した場合は、ＣＶＳセンタ装置４や金融センタ装置５から運用管理センタ装置６に対して装填，回収の緊急要求を通知する（Ｓ１３）。
【０１４７】
この場合にも、この説明（所定時刻になった場合）と同様に、運用管理センタ装置６から、緊急に装填，回収が必要になったコンビニエンスストア１に設置されているＰＯＳレジスタ２やＡＴＭ３についてはもちろん、そのコンビニエンスストア１と同様に巡回を予定していた他のコンビニエンスストア１のＰＯＳレジスタ２やＡＴＭ３についても、装填、回収の指示の要求をＣＶＳセンタ装置４と金融センタ装置５に通知するものとする。
【０１４８】
但し、このとき運用管理センタ装置６から出される装填、回収の指示の要求に付加される巡回予定時刻のうち、今回の巡回予定時刻は緊急対応のための設定された１回限りの特別な時刻であり、次回の巡回予定時刻は当初の予定時刻のままである。
これに基づいてＣＶＳセンタ装置４と金融センタ装置５は、今回の緊急対応から次回の巡回予定時刻までに必要な準備金を算出し、運用管理センタ装置６に通知する。
【０１４９】
これにより、緊急対応であっても適切な量の紙幣や硬貨の装填枚数を指示することができ、また今回は時刻が早くなるものの予定通りに店舗を巡回し、次回は予定通りに戻すため、運用管理を計画的に行うことが可能である。
運用管理センタ装置６は、ＣＶＳセンタ装置４及び金融センタ装置５からの装填、回収の要否と、今回巡回する各ＰＯＳレジスタ２や各ＡＴＭ３に対する紙幣や硬貨の金種別の装填、回収枚数のデータを受けると、巡回の順路を決定し、配送車７の現金処理装置３０に積み込む紙幣や硬貨の金種別の枚数を算出する（Ｓ１４）。
【０１５０】
すなわち、はじめに当初予定した巡回する店舗のうち、ＰＯＳレジスタ２またはＡＴＭ３のいずれにも装填、回収の必要がない店舗については巡回の計画から外し、１台でも装填、回収が必要な店舗についてはＰＯＳレジスタ２のＡＴＭ３の全台数について予定通り作業を行うように計画を作成する。
この場合、紙幣については、各コンビニエンスストア１毎にＰＯＳレジスタ２やＡＴＭ３に対して装填、回収を行うので、最初に訪問するコンビニエンスストア１のＰＯＳレジスタ２やＡＴＭ３に対する装填紙幣は全額必要であるが、２店目からはそれまでに回収した紙幣を装填に廻すことができる。
【０１５１】
但し、回収した紙幣で次に訪問するコンビニエンスストア１での装填に不足が生じるときは、その不足分を事前に配送車７の現金処理装置３０に積み込む必要がある。
このように、２店目からはそれまでに回収した紙幣を装填に廻すことができるので資金効率を改善できると共に、必要最小限の紙幣で巡回できるので、防犯面での効果もある。
次に、運用管理センタ装置６は、前記の積み込み枚数の算出結果に基づいて各コンビニエンスストア１のＰＯＳレジスタ２やＡＴＭ３毎の紙幣と硬貨の金種別の装填枚数、及び装填のために事前に準備する金種別の紙幣総枚数、金種別の硬貨総枚数と共に、装填や回収の指示を配送車７に対して送信し、同時に今回の巡回の順路と訪問予定時刻を指示する（Ｓ１５ａ）。
【０１５２】
この巡回計画は、ＣＶＳセンタ装置４や金融センタ装置５にも装填、回収予定として通知される（Ｓ１５ｂ）。
配送車７の係員は、運用管理センタ装置６からの指示に従い、運用管理センタで紙幣と硬貨を紙幣装填回収庫１２及び硬貨装填回収庫１５にそれぞれ装填した上で現金処理装置３０の現金処理部１０に積み込む。
【０１５３】
このとき、紙幣は運用管理センタ装置６の算出結果に基づいて、途中の回収紙幣を見込んだ枚数を台車１６に装着された紙幣装填回収庫１２に装填して積み込む（Ｓ１６）。
この紙幣装填回収庫１２の記憶部２３１には、装填する紙幣の金種別内訳が書き込まれ、またこの記憶部２３１には本体Ｎｏ．として積み込まれる現金処理装置３０のＮｏ．が、リジェクト庫Ｎｏ．として紙幣装填回収庫１２に対応する装填リジェクト庫８６のＮｏ．がそれぞれ書き込まれる。
【０１５４】
一方、硬貨は各ＰＯＳレジスタ２とＡＴＭ３のそれぞれに対して指示されている装填枚数がＰＯＳレジスタ２とＡＴＭ３毎に硬貨装填回収庫１５に装填され、台車１６と現金処理部１０の供給台１３１上に巡回する順番に並べて積み込まれる。
すなわち、硬貨装填回収庫１５とリジェクト庫１４は現金処理装置３０の現金処理部１０や台車１６に装着する時点でそれらが装着されるＰＯＳレジスタ２やＡＴＭ３が決まっており、従って硬貨装填回収庫１５の記憶部２３３には、装填されている硬貨の金種別の内訳と共に、本体Ｎｏ．として当該硬貨装填回収庫１５が装着されるＰＯＳレジスタ２やＡＴＭ３のＮｏ．が書き込まれる。
【０１５５】
同様にリジェクト庫１４の記憶部２３２にも、本体Ｎｏ．として当該リジェクト庫１４が装着されるＰＯＳレジスタ２やＡＴＭ３のＮｏ．が書き込まれる。
尚、装填リジェクト庫８６は、現金処理部１０の供給台１３１の先頭位置に並べられて積み込まれるが、この装填リジェクト庫８６の記憶部２３４には、現金処理装置Ｎｏ．として、当該装填リジェクト庫８６が装着される現金処装置３０のＮｏ．が書き込まれる。
【０１５６】
以上のようにして現金が装填された紙幣装填回収庫１２や硬貨装填回収庫１５等の積み込みが完了すると、配送車７の係員により運用管理センタ装置６に対して巡回開始の通知が送信され（Ｓ１７）、これ以降運用管理センタ装置６により配送車７に対する巡回状況の監視が行われる。
配送車７が巡回を開始すると（Ｓ１８）、はじめに装填リジェクト庫８６を供給台１３１からキャリア１３２上に移動して、該キャリア１３２により紙幣搬送部１３側に押し出して所定の位置に固定し、この時点で、現金処理部１０は紙幣装填回収庫１２の記憶部２３１と装填リジェクト庫８６の記憶部２３４に書き込まれている本体Ｎｏ．が自分のＮｏ．であることを確認する（Ｓ１９）。
【０１５７】
配送車１７に搭載された現金処理装置３０の現金処理部１０に紙幣装填回収庫１２が積み込まれた時点では、台車１６上に装着されている紙幣装填回収庫１２に今回の巡回に必要な紙幣が装填されているので、これらの紙幣を現金処理部１０の紙幣保管庫１１へ金種別に振り分けて収納する（Ｓ２０）。
次に、今回の巡回ではじめに訪問する１店目のコンビニエンスストア１のＰＯＳレジスタ２とＡＴＭ３に対して指示された金種別の紙幣枚数を紙幣保管庫１１から繰り出して台車１６上の紙幣装填回収庫１２に装填する（Ｓ２１）。
【０１５８】
紙幣の装填が終了すると、現金処理部１０により紙幣装填回収庫１２の記憶部の内容の書き換えが行われる。すなわち、本体Ｎｏ．は当該紙幣装填回収庫１２が装着される予定のＰＯＳレジスタ２やＡＴＭ３のＮｏ．に、またリジェクト庫Ｎｏ．は当該紙幣装填回収庫１２と対応して使用されるリジェクト庫１４のＮｏ．に、金種別内訳は今回装填された金種別の紙幣の枚数に書き換えられる。
【０１５９】
尚、今回の巡回において、はじめに訪問する１店目のコンビニエンスストア１のＰＯＳレジスタ２とＡＴＭ３に装着される予定のリジェクト庫１４と硬貨装填回収庫１５は、すでに台車１６上の所定の位置に装着されているので、現金処理部１０はそのリジェクト庫１４の記憶部２３２と、硬貨装填回収庫１５の記憶部２３３に書き込まれている本体Ｎｏ．が、１店目のＰＯＳレジスタ２とＡＴＭ３のＮｏ．であることを確認する。
【０１６０】
以上で１店目のコンビニエンスストア１に対する準備が完了する。一方、ＣＶＳセンタ装置４はＰＯＳレジスタ２に対して（Ｓ２２）、また金融センタ装置５はＡＴＭ３に対して回収準備をそれぞれ指示し（Ｓ２３）、その際、同時に配送車７が訪問する時刻までに釣り銭や支払い取引で必要な現金量を残値枚数として通知する。
回収する現金は、ＰＯＳレジスタ２とＡＴＭ３に内蔵された紙幣処理部２１０の紙幣保管庫２１３と、硬貨処理部２２０の硬貨保管庫２２３に金種別に収納されており、ＰＯＳレジスタ２とＡＴＭ３は回収準備の指示と残値枚数の通知により、紙幣装填回収庫１２内の紙幣と、硬貨は硬貨装填回収庫１５内の硬貨を、配送車７が訪問する時刻までに釣り銭や支払い取引で必要な残値枚数だけ残してそれぞれ紙幣と硬貨を紙幣装填回収庫１２と硬貨装填回収庫１５に回収する（Ｓ２４，Ｓ２５）。
【０１６１】
この場合、ＣＶＳセンタ装置４や金融センタ装置５からＰＯＳレジスタ２やＡＴＭ３に通知される残値枚数は、配送車７が訪問するまでに現金切れが発生しない充分な枚数が設定されている。また、ここでの回収は、入金や釣り銭放出が行われていない販売処理の合間、取引の合間の紙幣処理部２１０、硬貨処理部２２０の空き時間に行われる。
このように紙幣装填回収庫１２内の紙幣と、硬貨は硬貨装填回収庫１５内の硬貨の一部をそれぞれ事前に回収することで、配送車７がコンビニエンスストア１に到着してからＰＯＳレジスタ２やＡＴＭ３を停止させて行う回収処理を少ない枚数で短時間で行うことができると共に、ＰＯＳレジスタ２やＡＴＭ３の停止時間を短縮させることができ、これにより稼働効率が向上し、顧客の待ち時間も短縮することができる。
【０１６２】
また、事前の一部回収を実行するタイミングは、運用管理センタ装置６から通知される巡回予定時刻に対応して決定されるため、例えば一部回収を巡回予定時刻の直前に実施すれば、残値枚数も最少の枚数に設定することができ、配送車７が訪問してから実施する回収処理をより短い時間で行うことができる。また、回収処理の時間が短縮できるので、係員が交換する紙幣装填回収庫１２や硬貨装填回収庫１５を持って待機する時間も短くなり、防犯性もよいものとなる。
【０１６３】
尚、ここではＣＶＳセンタ装置４や金融センタ装置５によりＰＯＳレジスタ２やＡＴＭ３に対して残値枚数を指示するものとしたが、予めＰＯＳレジスタ２やＡＴＭ３毎に残値枚数を設定しておくようにしてもよい。
配送車７がコンビニエンスストア１に到着すると、配送車７の係員が操作指示部２７を操作し、現金処理装置３０に対して現金回収、装填作業の開始を指示すると共に、運用管理センタ装置６に対してコンビニエンスストア１に到着したことを報告する（Ｓ２６）。
【０１６４】
また、このとき配送車７から、当該配送車７に搭載されている位置検出部２２が検出した現在地を運用管理センタ装置６に連絡する。
運用管理センタ装置６では、この到着を受信した時刻をタイマにより取得して時刻記憶部に記憶し、そして配送車７の現在地をもとに、配送車７が巡回の１店目のコンビニエンスストア１に予定通り到着したかどうかを確認し、正常であることが確認されると、巡回の１店目のコンビニエンスストア１のＰＯＳレジスタ２やＡＴＭ３に対する現金の回収、装填を作業を承認して（Ｓ２７）、紙幣装填庫１２等を装着した台車１６の積み降しの許可及び現金の装填、回収の許可を配送車７に対して通知する（Ｓ２８）。
【０１６５】
この作業許可をもとに配送車７の作業が開始される。まず、配送車７から運用管理センタ装置６に対して１店目のコンビニエンスストア１のＰＯＳレジスタ２やＡＴＭ３に現金を装填するために、その本体Ｎｏ．と紙幣装填回収庫１２に装填した紙幣の枚数と、硬貨装填回収庫１５に装填した硬貨の枚数などの装填情報を記憶部２３１や２３３から読み出して運用管理センタ装置６に通知する。
【０１６６】
すなわち、配送車７の現金処理装置３０の現金処理部１０が、１店目のコンビニエンスストア１のＰＯＳレジスタ２やＡＴＭ３に現金を装填するために使用する紙幣装填回収庫１２の記憶部２３１や硬貨装填回収庫１５の記憶部２３３から本体Ｎｏ．と紙幣装填回収庫１２に装填した紙幣の枚数、硬貨装填回収庫に装填した硬貨の枚数等の装填情報を読み出し、その読みだした情報を配送車７から運用管理センタ装置６に通知する。
【０１６７】
次に、配送車７の係員が紙幣装填回収庫１２や硬貨装填回収庫１５等が装着されている台車１６を降すために配送車７の荷台の扉８の前に立つと、扉８に設けられている個人認識部２３により係員の虹彩が取得され、登録されている係員かどうかがチェックされる（Ｓ３０ａ）。
このチェックにより正当な係員であることが確認されると、配送車７に搭載されている現金処理装置３０の制御部２０は保安部２４に対して台車１６を降すように指示し、この指示によって保安部２４は、それまで台車１６引き上げていた台車引き上げ機構１９１を動作させて、台車１６を下降させる（Ｓ３０ｂ）。
【０１６８】
そして台車１６が地上まで降りると、保安部２４は前記積み降し許可にもとづいて配送車７の扉８の施錠を開放し、これにより係員は扉８を開いて台車１６を引き出す。この時点から台車１６はＰＨＳ７７により現在地を記憶し、その後の現在地の移動に基づいて盗難等の異常事態が発生したか否かが台車制御部７４により判定される。
ここで係員は、台車１６を移動させて紙幣装填回収庫１２や硬貨装填回収庫１５等をコンビニエンスストア１に運搬し（Ｓ３１）、そしてコンビニエンスストア１内のＰＯＳレジスタ２に到着すると、係員はＰＯＳレジスタ２の操作パネルを操作して現金回収の開始を入力する（Ｓ３２）。
【０１６９】
これによりＰＯＳレジスタ２は、運用管理センタ装置６に対して現金回収の開始を通知し（Ｓ３３）、そして紙幣処理部２１０の紙幣保管庫２１３内のすべての紙幣を紙幣装填回収庫１２に回収する（Ｓ３４）。
この回収処理において発生したリジェクト紙幣は、リジェクト庫１４へ収納する。また、同時に硬貨処理部２２０の硬貨保管庫２２３と硬貨リジェクト庫２２４のすべての硬貨を硬貨装填回収庫１５に回収する。
【０１７０】
これら紙幣装填回収庫１２及び硬貨装填回収庫１５には、前述のように事前に紙幣及び硬貨の一部がすでに回収してあるので、この時の回収は短時間で完了する。
紙幣保管庫２１３の紙幣及び硬貨保管庫２２３と硬貨リジェクト庫２２４の硬貨がすべて回収されると、ＰＯＳレジスタ２からＣＶＳセンタ装置４に対して回収金額が通知（Ｓ３５ａ）されると共に、紙幣装填回収庫１２の記憶部２３１の金種別内訳に回収された紙幣枚数が、また硬貨装填回収庫１５の記憶部２３３の金種別内訳に回収された硬貨枚数が書き込まれ、更にリジェクト庫１４の記憶部２３２に装填枚数、取引枚数、回収枚数をもとに演算した金種別枚数が書き込まれる。
【０１７１】
ここで、紙幣装填回収庫１２、リジェクト庫１４、及び硬貨装填回収庫１５がＰＯＳレジスタ２から抜き取り可能になる（Ｓ３５ｂ）。
一方、運用管理センタ装置６は、ＰＯＳレジスタ２から現金回収開始の通知を受けると、ＰＨＳ７７を介して台車１６にＰＯＳレジスタ２の本体Ｎｏ．の通知を行い（Ｓ３６）、台車制御部７４はこの通知に従って台車１６に装着されている紙幣装填回収庫１２及びリジェクト庫１４、硬貨装填回収庫１５のうち、今回使用する紙幣装填回収庫１２及びリジェクト庫１４、硬貨装填回収庫１５に該当する位置決め機構７１，７２の施錠を開錠して台車１６からの取り外しを可能にする（Ｓ３７）。
【０１７２】
このように、通知された本体Ｎｏ．に従って位置決め機構７１，７２の施錠を開錠するので、係員による誤操作を防止することができ、防犯性にも優れたものとなる。
次に、係員はＰＯＳレジスタ２の紙幣装填回収庫１２及びリジェクト庫１４、硬貨装填回収庫１５と台車１６上の紙幣装填回収庫１２及びリジェクト庫１４、硬貨装填回収庫１５を交換する（Ｓ３９）。
【０１７３】
すなわち、位置決め機構７１，７２の施錠が解除された紙幣装填回収庫１２及びリジェクト庫１４、硬貨装填回収庫１５を台車から取り外し、またＰＯＳレジスタ２から紙幣装填回収庫１２及びリジェクト庫１４、硬貨装填回収庫１５を抜き取って、この抜き取った紙幣装填回収庫１２及びリジェクト庫１４を台車１６上から取り外した紙幣装填回収庫１２及びリジェクト庫１４の位置に装着し、更にこのリジェクト庫１４上にＰＯＳレジスタ２から抜き取った硬貨装填回収庫１５を載せて一体化する。
【０１７４】
これにより台車１上に装着した紙幣装填回収庫１２及びリジェクト庫１４は位置決め機構７１，７２により自動的に固定され施錠される。続いて係員は、台車１６から取り外してある紙幣装填回収庫１２及びリジェクト庫１４、硬貨装填回収庫１５、ＰＯＳレジスタ２の紙幣処理部２１０及び硬貨処理部２２０に装着する（Ｓ４０）。
以上のようにしてＰＯＳレジスタ２に対する紙幣装填回収庫１２及びリジェクト庫１４、硬貨装填回収庫１５の交換が行われるが、これらの金庫の交換による資金の移動の決済が以下のように行われる。
【０１７５】
前記のようにＰＯＳレジスタ２から抜き取られた紙幣装填回収庫１２及びリジェクト庫１４、硬貨装填回収庫１５が台車１６上に装着されると、台車制御部７４はいま装着された紙幣装填回収庫１２の記憶部２３１とリジェクト庫１４の記憶部２３２及び硬貨装填回収庫１５の記憶部２３３からそれぞれ本体Ｎｏ．と金種別内訳とを読み出し、通信部７６によりＰＨＳ７７を介して運用管理センタ装置６に現金回収データとして報告する（Ｓ４１）。
【０１７６】
運用管理センタ装置６は台車１６から受信した現金回収データに基づいてＣＶＳセンタ装置４にＰＯＳレジスタ２から回収した金額を通知し（Ｓ４２）、ＣＶＳセンタ装置４はこの通知された回収金額と、すでにＳ３５ａでＰＯＳレジスタ２から報告を受けている回収金額とが一致するかどうかを確認する（Ｓ４３）。
その結果、回収金額が一致し、正当であると判断した場合、ＣＶＳセンタ装置４は運用管理センタ装置６に対して回収確認通知を送信し（Ｓ４４ａ）、その応答として運用管理センタ装置６からＣＶＳセンタ装置４に対して回収金額の入金処理が行われる（Ｓ４４ｂ）。
【０１７７】
この時点で、１店目のコンビニエンスストアのＰＯＳレジスタ２に対する回収処理が完了し（Ｓ４５）、回収された現金は運用管理センタ装置６に移動したものとして決済される。
一方、前記のように台車１６から取り外された紙幣装填回収庫１２及びリジェクト庫１４、硬貨装填回収庫１５がＰＯＳレジスタ２の紙幣処理部２１０及び硬貨処理部２２０に装着されると、ＰＯＳレジスタ２は紙幣処理部２１０にいま装着された紙幣装填回収庫１２の記憶部２３１から紙幣装填回収庫Ｎｏ．、本体Ｎｏ．、金種別内訳を読み出し、同様にリジェクト庫１４の記憶部２３２からリジェクト庫と本体Ｎｏ．、硬貨装填回収庫１５の記憶部２３３から硬貨装填回収庫Ｎｏ．、本体Ｎｏ．、金種別内訳をそれぞれ読み出す。
【０１７８】
そして、これらの記憶部２３１〜２３３に書き込まれている本体Ｎｏ．は、ＰＯＳレジスタ２自身のＮｏ．であること、紙幣装填回収庫の記憶部２３１に書き込まれているリジェクト庫Ｎｏ．は同時に当該ＰＯＳレジスタ２に装着されたリジェクト庫１４のＮｏ．と一致していることを確認する。
これらの確認の結果、すべて正常と判断すると、ＰＯＳレジスタ２は紙幣装填回収庫１２の金種別内訳と、硬貨装填回収庫１５の金種別内訳から今回装填された金額を算出し、ＣＶＳセンタ装置４に対して算出金額を報告する（Ｓ４６）。
【０１７９】
ＣＶＳセンタ装置４では、Ｓ１０において運用管理センタ装置６に指示した装填金額と、今回ＰＯＳレジスタ２から報告された装填金額が一致していることを確認し（Ｓ４７）、この確認により金額が正当であると判断すると、運用管理センタ装置６に対して装填金額を付加した装填確認通知を送信（Ｓ４８ａ）すると共に、ＣＶＳセンタ装置４から運用管理センタ装置６への装填金額の入金処理を行う。
【０１８０】
運用管理センタ装置６では、ＣＶＳセンタ装置４から装填確認通知を受信すると、それに付加されている装填金額とＳ１５で配送車７に指示したＰＯＳレジスタ２に対する装填金額とが一致していることを確認し（Ｓ４９）、この金額が正当であると判断すると、この時点でＰＯＳレジスタ２に対する装填作業を完了する（Ｓ５０）。
これにより装填された現金はＰＯＳレジスタ２に移され、ＰＯＳレジスタ２を管理するＣＶＳセンタ装置４に移動したとしてＰＯＳレジスタ２への装填処理が完了する。
【０１８１】
以上のように紙幣装填回収庫１２、リジェクト庫１４、硬貨装填回収庫１５の交換することで、現金の移し替えと同時に決済が行われるため、現金とその管理責任を同時に移すことができ、また、金利の負担先も明確になると共に、万一盗難にあったときの保険の負担も分かり易いものとなる。
ＰＯＳレジスタ２では、装着された紙幣装填回収庫１２から紙幣処理部２１０の紙幣保管庫２１３に紙幣が金種別に振り分けられて収納され、そのとき発生したリジェクト紙幣はリジェクト庫１４へ収納される。
【０１８２】
同時に装着された硬貨装填回収庫１５から硬貨処理部２２０の硬貨保管庫２２３に硬貨が金種別に振り分けられて収納され、そのとき発生したリジェクト硬貨は硬貨リジェクト庫２２４へ収納される（Ｓ５１）。
以上ですべての紙幣と硬貨の移動収納が完了すると、ＰＯＳレジスタ２における現金の回収、装填処理が終了する（Ｓ５２）。
【０１８３】
次に、係員は同じコンビニエンスストア１内に設置されているＡＴＭ３に台車１６を移動させ、ＰＯＳレジスタ２の場合と同様の手順でＡＴＭ３に対する紙幣及び硬貨の回収、装填処理を行う。
但し、ＰＯＳレジスタ２の場合には、ＣＶＳセンタ装置４と運用管理センタ装置６との間で金額データ等の授受を行って決済処理を行ったが、ＡＴＭ３の場合には金融センタ装置５と運用管理センタ装置６との間で金額データ等の授受を行って決済処理が行われる。
【０１８４】
その手順は、図４１及び４２に示したようにＡＴＭ３に回収開始の入力（Ｓ５３）以降、ＡＴＭの現金回収、装填終了までＰＯＳレジスタ２と同様であるのでその説明は省略する。
以上のようにして１店目のコンビニエンスストア１に設置されているＰＯＳレジスタ２やＡＴＭに対する現金の回収、装填処理を終了する。
【０１８５】
その後、係員は台車１６を配送車７まで移動し（Ｓ５５）、配送車７の扉８の前に立つと、この扉８に設けられている個人認識部２３により係員の虹彩が取得され、登録されている係員かどうかがチェックされる（Ｓ５６ａ）。
このチェックにより正当な係員であることが確認されると、配送車７に搭載されている現金処理装置３０の制御部２０は保安部２４に対して扉８を開いて台車１６を受け入れるように指示する。
【０１８６】
そして係員が扉８を開き、台車１６を配送車７に荷台の下に所定の位置まで押し入れて扉８を閉じると、保安部２４は台車引き上げ機構１９１により台車１６を引き上げて現金処理部１０に連結させる（Ｓ５６ｂ）。
これにより現金処理部１０の主制御部２５は台車１６上に装着されている回収した紙幣装填回収庫１２の記憶部２３１、硬貨装填回収庫１５の記憶部２３３からそれぞれ本体Ｎｏ．や金種別内訳等の記憶内容を読み出して、現金処理部１０の記憶部に記憶し、その後紙幣装填回収庫１２から紙幣を順次繰り出して、紙幣を紙幣保管庫１１へ金種別に振り分けて収納させる（Ｓ５７）。
【０１８７】
このとき発生したリジェクト紙幣はリジェクト庫１４に収納される。
すべての紙幣が紙幣装填回収庫１２から回収されて空になると、紙幣装填回収庫１２の記憶部２３１に書き込まれている本体Ｎｏ．、リジェクト庫Ｎｏ．、金種別内訳のデータがクリアされるが、この時の回収枚数も金種別に計数されて現金処理部１０の記憶部に記憶される。
【０１８８】
以上のようにしてＰＯＳレジスタ２やＡＴＭ３から回収されたすべての紙幣装填回収庫１２からの紙幣の回収が終了すると、現金処理装置３０から運用管理センタ装置６に対して、各紙幣装填回収庫１２から紙幣保管庫１１へ回収した金種別の紙幣の回収枚数と、各紙幣装填回収庫１２の記憶部２３１の本体Ｎｏ．とを報告し、同時に硬貨装填回収庫１５の記憶部２３３から読み出した本体Ｎｏ．や金種別内訳も報告する（Ｓ５８）。
【０１８９】
尚、ここでの紙幣の回収枚数は、紙幣装填回収庫１２から紙幣保管庫１１への回収中にリジェクト紙幣が発生した場合、回収紙幣の一部がリジェクト庫１４に収納されるので、必ずしもＰＯＳレジスタ２やＡＴＭから回収されたときの金額には一致せず、今回Ｓ５８で運用管理センタ装置６に報告された回収枚数による金額と、リジェクト庫１４に収納されたリジェクト紙幣の合計値が、該当するＰＯＳレジスタ２やＡＴＭ３から回収した金額の総額であり、ＰＯＳレジスタ２やＡＴＭから報告されて決済された金額に相当するものとなる。
【０１９０】
また、Ｓ５８で報告される回収枚数は、巡回の途中で次のコンビニエンスストア１の装填に使用される紙幣枚数に加算される。
運用管理センタ装置６は、配送車７の現金処理装置３０から報告された回収枚数で次に訪問するコンビニエンスストア１のＰＯＳレジスタ２とＡＴＭ３に対して充分に紙幣の装填ができることを確認し、配送車７の現金処理装置３０に対して１店目のコンビニエンスストア１について作業を終了したことを通知する（Ｓ５９）。
【０１９１】
以上で運用管理センタ装置６での１店目のコンビニエンスストア１のＰＯＳレジスタ２とＡＴＭ３に対する現金の回収、装填処理を終了する（Ｓ６０）。
また、この間、運用管理センタ装置６は交換作業の状況を監視し、配送車７や台車１６が万一盗難等の異常事態に遭遇していないかどうかを判断する。
すなわち台車１６や、ＰＯＳレジスタ２、ＡＴＭ３等から、その作業の進捗に対応して逐次状況やデータが報告されるが、運用管理センタ装置６では、これらの報告に対して時間等の監視、例えば紙幣装填回収庫１２やリジェクト庫１４等が台車から外され、別の紙幣装填回収庫１２やリジェクト庫１４等が台車１６に装着されるまでの時間等を監視して異常事態の発生の有無を判断し、更に配送車７に搭載されている位置検出部２２の検出位置により、配送車７が所定の位置から予定外の位置に移動したかを監視して、異常事態の発生の有無を判断する。
【０１９２】
更に、時刻記憶部に記憶し時刻から所定の時間内に装填回収作業が終了したかどうかにより異常事態の発生の有無を判断する。
次に配送車は２店目のコンビニエンスストア１に移動し、この移動中に現金処理装置３０の現金処理部１０により２店目のコンビニエンスストア１のＰＯＳレジスタ２とＡＴＭ３に対する現金装填の準備が行われる。
【０１９３】
まず、台車１６に装着されている１店目のコンビニエンスストア１のＰＯＳレジスタ２やＡＴＭ３から回収されたリジェクト庫１４と硬貨装填回収庫１５を、２店目のコンビニエンスストア１のＰＯＳレジスタ２やＡＴＭ３に指定されているリジェクト１４と硬貨装填回収庫１５と交換する（Ｓ６１）。
すなわち、回収したリジェクト１４と硬貨装填回収庫１５が台車１６から交換部１７のキャリア１３２によって受け取られ、受入れ機構１３６により回収台１３７上に収納される。
【０１９４】
続いて供給台１３１上に搭載されている２店目のコンビニエンスストア１のＰＯＳレジスタ２やＡＴＭ３のためのリジェクト１４と硬貨装填回収庫１５がキャリア１３２上に押し出され、該キャリア１３２により台車１６の所定の位置まで運ばれて、台車１６上に装着される。
次に、現金処理部１０は、今回訪問する２店目のコンビニエンスストア１のＰＯＳレジスタ２とＡＴＭ３に対して指示された装填枚数分の紙幣を紙幣保管庫１１から紙幣装填回収庫１２に装填し、そしてこの紙幣装填回収庫１２の記憶部２３１の記憶内容を１店目のコンビニエンスストア１のＰＯＳレジスタ２とＡＴＭ３に装填する場合と同様に書き換える（Ｓ６２）。
【０１９５】
以上で２店目のコンビニエンスストア１のＰＯＳレジスタ２とＡＴＭ３に対する準備が完了する。配送車７が２店目のコンビニエンスストア１に到着すると、１店目の場合と同様に運用管理センタ装置６に対して到着を報告し（Ｓ６３）、ＰＯＳレジスタ２とＡＴＭ３に対する現金の回収、装填作業を１店目の場合と同様に実施する（Ｓ６４）。
同様に３店目以降、すべてのコンビニエンスストア１のＰＯＳレジスタ２とＡＴＭ３に対する現金の回収、装填を行う。
【０１９６】
すべてのコンビニエンスストア１のＰＯＳレジスタ２とＡＴＭ３に対する現金の回収、装填処理が終了すると（Ｓ６５）、配送車７は運用管理センタに戻る。配送車７が運用管理センタに帰着すると（Ｓ６６ａ）、運用管理センタ装置６に対して帰着を報告し、この報告を受けて運用管理センタ装置６は配送車７に対する巡回状況の監視を解除し、これにより巡回処理が終了する（Ｓ６６ｂ）。
【０１９７】
このとき、最後のコンビニエンスストア１から回収された紙幣装填回収庫１２が台車１６に装着されているが、この紙幣装填回収庫１２内の紙幣はすでに現金処理部１０の紙幣保管庫１１に移されて収納されている。
そこで、配送車７の巡回により回収された紙幣を抜き取って精算するため、係員は配送車７の操作表示部２７を操作し、現金処理装置３０に対して終了処理の開始を入力する（Ｓ６７ａ）。
【０１９８】
これにより紙幣保管庫１１に収納されている紙幣は１枚づつ繰り出され、紙幣認識部８５で金種の認識、計数等が行われた後、紙幣装填回収庫１２に収納される（Ｓ６７ｂ）。
この収納処理は、各紙幣保管庫１１に金種別に収納されている紙幣はすべて紙幣装填回収庫１２に収納するものであり、台車１６上には複数の紙幣装填回収庫１２が装着されているので、最初の紙幣装填回収庫１２が満杯になると次の紙幣装填回収庫１２に収納するというように、紙幣は複数の紙幣装填回収庫１２に順に収納されて行く。
【０１９９】
尚、この処理中に発生するリジェクト紙幣は装填リジェクト庫８６に収納される。すべての、紙幣保管庫１１が空になると処理が終了し、紙幣装填回収庫１２の記憶部２３１の記憶内容が書き換えられる。
すなわち、本体Ｎｏ．には配送車７に搭載されている当該現金処理装置３０のＮｏ．が、リジェクト庫Ｎｏ．には対応する装填リジェクト庫８６のＮｏ．が、金種別内訳には収納された紙幣の金種別の枚数が書き込まれる。
【０２００】
また、このときの計数結果は、精算枚数として運用管理センタ装置６に通知される（Ｓ６７ｃ）。
次に、紙幣搬送部１３から装填リジェクト庫８６を交換部１７のキャリア１３２で受け取り、その装填リジェクト庫８６更に受入れ機構１３６により回収台１３７に送り込んで回収する（Ｓ６８ａ）。
【０２０１】
以上で紙幣装填回収庫１２への現金の回収と、その紙幣装填回収庫１２の下降作業の準備が完了し、これにより現金処理装置３０が台車１６を地上に下降させると（Ｓ６８ｂ）、係員は荷台の扉８を開いて台車１６を引出す。
更に、係員は現金処理部１０から供給台１３１と一体に回収台１３７を引出して、リジェクト庫１４、硬貨装填回収庫１５、及びリジェクト装填庫８６の各金庫を降し（Ｓ６９）、これにより終了処理を完了する（Ｓ７０）。
【０２０２】
最後に、紙幣装填回収庫１２、リジェクト１４、硬貨装填回収庫１５、及び装填リジェクト庫８６の各金庫に残っている現金の精算が行われる。
すなわち、これらの紙幣装填回収庫１２、リジェクト庫１４、硬貨装填回収庫１５、及び装填リジェクト庫８６を開き、それぞれ収納されている現金を計数装置等により計数して、その計数結果と巡回の途中等で報告されている金額等との突き合わせ確認が行われる。
【０２０３】
以下に紙幣装填回収庫１２、リジェクト庫１４、硬貨装填回収庫１５、及び装填リジェクト庫８６のそれぞれの精算内容を説明する。
【０２０４】
【数１】
2008108284.tif 000003
【０２０５】
以上の結果は運用管理センタ装置６に精算結果として通知され（Ｓ７１）、これによりすべての現金の残高が正しく報告されて装填、回収作業は終了する（Ｓ７３）。
尚、上述した実施例では、コンビニエンスストア１を運営する会社が保有するＰＯＳレジスタ２と金融機関が保有するＡＴＭ３に対して現金の装填、回収を行う場合を例にして説明したが、本発明はこれに限られるものではなく、流通機関や信販会社、及びその他の会社が保有する各種の現金取扱い装置に対する現金の装填、回収に適用し、現金の運用を図ることが可能である。
【０２０６】
また、上述した実施例ではコンビニエンスストア１に現金取扱い装置の設置されているものとして説明したが、デパートやスーパーマーケットの他、公共施設等に設置された現金取扱い装置に対しても同様に適用可能である。
上述した実施例ではコンビニエンスストア１にＰＯＳレジスタ２とＡＴＭの２種類の現金取扱い装置が設置されているものとして説明したが、１店について１種類現金取扱い装置が設置されている場合は、台車１６上に装着して使用する紙幣装填回収庫１２は１個用意するだけでもよい。
【０２０７】
以上説明した本発明の請求項１〜３の発明によれば、以下の効果が得られる。
現金装填回収庫と共に現金取扱い装置から取り外したリジェクト庫には装置で認識できない現金が収納されているため、現金処理装置で計数しながら回収することが困難であるので、リジェクト庫を開いて人手により現金を確認計数しなければならず、そのためリジェクト庫は現金取扱い装置毎に専用のものとして準備する必要があるが、この請求項７〜９の発明では、移動手段に装着された現金装填回収庫とリジェクト庫に対し、現金装填回収庫には現金の装填、回収を行うと共に、リジェクト庫は自動的に交換できるようにしているため、現金取扱い装置から現金を回収した後、次の現金取扱い装置に現金の装填を行う際、前の現金取扱い装置から取り外したリジェクト庫を間違えて次の現金取扱い装置に使用するようなことがなくなり、確実にリジェクト庫の使い分けができるという効果が得られると共に、現金装填回収庫とリジェクト庫のそれぞれの記憶部にリジェクト庫Ｎｏ．を記憶させて、現金装填回収庫とリジェクト庫の対応関係、及び装着の正当性を確認するため、万一別のリジェクト庫を装着しても直ぐに誤装着を検出して正しいリジェクト庫に換えることができるという効果も得られる。
【０２０８】
また、請求項４の発明では、移動手段に対してリジェクト庫を現金処理装置の交換部により自動的に交換し、この交換により移動手段から引き取ったリジェクト庫を収納台部に収納すると共に、収納台部をリジェクト庫を収納したまま前記交換手段から切り離して交換したリジェクト庫を一括して移動できるようにしているため、すべての作業が終わってリジェクト庫を現金処理装置から取り外して移動するとき、別の台車等を準備することなく収納台部ごと切り離して簡単に移動することができると共に、装填作業の準備のために空のリジェクト庫を現金処理装置に組み込む際も、事前にリジェクト庫を収納台部に一括して装着して収納台部ごと組み込むことができるので、短時間で確実に作業を行うことができるという効果が得られる。
【図面の簡単な説明】
【０２０９】
【図１】本発明の実施例のシステム構成を示す概略図
【図２】ＰＯＳレジスタの在高データの例を示す図
【図３】ＡＴＭの在高データの例を示す図
【図４】配送車の概略斜視図
【図５】現金処理装置の構成を示すブロック図
【図６】台車の概略斜視図
【図７】台車の構成を示すブロック図
【図８】現金処理部の内部構造を示す概略斜視図
【図９】現金処理部と紙幣装填回収庫等との連結状態を示す斜視図
【図１０】紙幣保管庫とその周辺部の動作を示す斜視図
【図１１】紙幣保管庫の紙幣収納状態を示す斜視図
【図１２】紙幣装填回収庫とその周辺部の動作を示す斜視図
【図１３】紙幣装填回収庫の紙幣収納状態を示す斜視図
【図１４】リジェクト庫とその周辺部の動作を示す斜視図
【図１５】リジェクト庫の紙幣収納状態を示す斜視図
【図１６】現金処理装置への紙幣の収納動作を示す説明図
【図１７】紙幣装填回収庫への現金の装填動作を示す説明図
【図１８】現金処理部への紙幣の回収動作を示す説明図
【図１９】交換部を示す概略斜視図
【図２０】現金処理部の各構成要素の相対位置関係を示す概略斜視図
【図２１】交換部の動作を示す概略斜視図
【図２２】交換部の動作を示す概略斜視図
【図２３】交換部の動作を示す概略斜視図
【図２４】交換部の動作を示す概略斜視図
【図２５】交換部の動作を示す概略斜視図
【図２６】リジェクト庫等の移送状態を示す概略斜視図
【図２７】リジェクト庫と硬貨装填回収庫の概略斜視図
【図２８】リジェクト庫の位置決めを示す概略斜視図
【図２９】リジェクト庫の平面図
【図３０】台車を配送車に積み込む前の状態を示す斜視図
【図３１】台車を配送車に積み込んだ状態を示す斜視図
【図３２】配送車後部の扉を開けた状態の拡大斜視図
【図３３】配送車後部の扉を閉じた状態の拡大斜視図
【図３４】紙幣処理部の構成を示すブロック図
【図３５】硬貨処理部の構成を示すブロック図
【図３６】各金庫における記憶部の記憶内容を示す図
【図３７】実施例における現金の処理手順を示すフローチャート
【図３８】実施例における現金の処理手順を示すフローチャート
【図３９】実施例における現金の処理手順を示すフローチャート
【図４０】実施例における現金の処理手順を示すフローチャート
【図４１】実施例における現金の処理手順を示すフローチャート
【図４２】実施例における現金の処理手順を示すフローチャート
【図４３】実施例における現金の処理手順を示すフローチャート
【図４４】実施例における現金の処理手順を示すフローチャート
【図４５】実施例における現金の処理手順を示すフローチャート
【符号の説明】
【０２１０】
１ コンビニエンスストア
２ ＰＯＳレジスタ
３ ＡＴＭ
４ ＣＶＳセンタ装置
５ 金融センタ装置
６ 運用管理センタ装置
８ 扉
７ 配送車
１０ 現金処理部
１１ 紙幣保管庫
１２ 紙幣装填回収庫
３ 紙幣搬送部
１４ リジェクト庫
１５ 硬貨装填回収庫
１６ 台車
１７ 交換部
２０ 制御部
２１ 通信部
２２ 位置検出部
２３ 個人認識部
２７ 操作表示部
３０ 現金処理装置
７１ａ〜７１ｃ 位置決め機構
７２ａ〜７２ｃ 位置決め機構
７４ 台車制御部
７６ 通信部
７７ ＰＨＳ
８５ 認識部
８６ 装填リジェクト庫
１３１ 供給台
１３２ キャリア
１３７ 回収台
１３３ 位置決め機構
２１０ 紙幣処理部
２１２ 認識部
２１３ａ〜２１３ｃ 紙幣保管庫
２２０ 硬貨処理部
２２５ 検銭部
２３１〜２３４ 記憶部
【図１】
2008108284.tif 000004
【図２】
2008108284.tif 000005
【図３】
2008108284.tif 000006
【図４】
2008108284.tif 000007
【図５】
2008108284.tif 000008
【図６】
2008108284.tif 000009
【図７】
2008108284.tif 000010
【図８】
2008108284.tif 000011
【図９】
2008108284.tif 000012
【図１０】
2008108284.tif 000013
【図１１】
2008108284.tif 000014
【図１２】
2008108284.tif 000015
【図１３】
2008108284.tif 000016
【図１４】
2008108284.tif 000017
【図１５】
2008108284.tif 000018
【図１６】
2008108284.tif 000019
【図１７】
2008108284.tif 000020
【図１８】
2008108284.tif 000021
【図１９】
2008108284.tif 000022
【図２０】
2008108284.tif 000023
【図２１】
2008108284.tif 000024
【図２２】
2008108284.tif 000025
【図２３】
2008108284.tif 000026
【図２４】
2008108284.tif 000027
【図２５】
2008108284.tif 000028
【図２６】
2008108284.tif 000029
【図２７】
2008108284.tif 000030
【図２８】
2008108284.tif 000031
【図２９】
2008108284.tif 000032
【図３０】
2008108284.tif 000033
【図３１】
2008108284.tif 000034
【図３２】
2008108284.tif 000035
【図３３】
2008108284.tif 000036
【図３４】
2008108284.tif 000037
【図３５】
2008108284.tif 000038
【図３６】
2008108284.tif 000039
【図３７】
2008108284.tif 000040
【図３８】
2008108284.tif 000041
【図３９】
2008108284.tif 000042
【図４０】
2008108284.tif 000043
【図４１】
2008108284.tif 000044
【図４２】
2008108284.tif 000045
【図４３】
2008108284.tif 000046
【図４４】
2008108284.tif 000047
【図４５】
2008108284.tif 000048